(57)【要約】  表示装置（８０、３８０、６８０）を制御するための制御装置（３０、３００、６００）が開示される。一実施形態によれば、制御装置（３０）は複数の向きで動作可能である。制御装置（３０）の向きの変化を検知することに応答して、表示装置（８０）によって表示されるコンテンツ（８１０、８２０、８３０）に関するナビゲーションメニュー（９２０）が、制御装置（３０）の演算処理装置（６０）で生成される。演算処理装置（６０）によって生成されたナビゲーションメニュー（９２０）は、表示装置（８０）を制御することを容易にするために、次に制御装置（３０）のディスプレー（９０）に表示される。上記の制御装置（３０、３００、６００）を用いて表示装置を制御する方法もまた開示される。
2015525927.tif 000002
【特許請求の範囲】
【請求項１】
複数の向きで動作可能な制御装置（３０）を使用して表示装置（８０）を制御する方法であって、
前記制御装置（３０）の向きの変化を検知することと、
前記制御装置（３０）の前記向きの変化の検知に応答して、前記表示装置（８０）によって表示されるコンテンツ（８１０、８２０、８３０）に関するナビゲーションメニュー（９２０）を前記制御装置（３０）の演算処理装置（６０）で生成することと、
前記表示装置（８０）を制御することを容易にするために、前記演算処理装置（６０）によって生成された前記ナビゲーションメニュー（９２０）を前記制御装置（３０）のディスプレー（９０）に表示することと、
を含む方法。
【請求項２】
前記ナビゲーションメニュー（９２０）は、前記表示装置（８０）によって表示される前記コンテンツ（８１０、８２０、８３０）を変えるための多くのショートカット又はリンクを含む、請求項１に記載の方法。
【請求項３】
前記ナビゲーションメニュー（９２０）は、前記表示装置（８０）によって表示される前記コンテンツ（８１０、８２０、８３０）の一部を含む、請求項１又は２に記載の方法。
【請求項４】
前記ナビゲーションメニュー（９２０）は、前記制御装置（３０）によって受け取られたデータに基づいて生成される、請求項１〜３のいずれかに記載の方法。
【請求項５】
前記ナビゲーションメニュー（９２０）は、ビデオ、オーディオ、又はビデオ及びオーディオの制御メニューを含む、請求項１〜４のいずれかに記載の方法。
【請求項６】
前記表示装置（８０）に表示される前記コンテンツ（８１０、８２０、８３０）を制御するために前記制御装置（３０）を制御することを含む、請求項１〜５のいずれかに記載の方法。
【請求項７】
前記制御装置（３０）を制御するステップは、前記表示装置（８０）に表示される前記コンテンツ（８１０、８２０、８３０）を変えることを含む、請求項６に記載の方法。
【請求項８】
前記表示装置（８０）によって表示される新たなコンテンツ（８１０、８２０、８３０）に関する新たなナビゲーションメニュー（９２０）を生成することと、前記新たなコンテンツ（８１０、８２０、８３０）に関する前記新たなナビゲーションメニュー（９２０）を前記制御装置（３０）の前記ディスプレー（９０）に表示することとを含む、請求項７に記載の方法。
【請求項９】
前記制御装置のディスプレー（９０）は、タッチ入力に反応するタッチスクリーンディスプレーであり、前記制御装置（３０）を制御するステップは、前記表示装置（８０）を制御するために前記タッチスクリーンディスプレーに前記タッチ入力を与えることを含む、請求項６〜８のいずれかに記載の方法。
【請求項１０】
前記タッチ入力は、ユーザーによる前記タッチスクリーンディスプレー上でのスワイプ又はページング動作を含む、請求項９に記載の方法。
【請求項１１】
前記タッチ入力は、ユーザーによる前記タッチスクリーンディスプレー上でのシングルタッチ動作を含む、請求項９に記載の方法。
【請求項１２】
前記表示装置に表示される前記コンテンツ（８１０、８２０、８３０）を変えることなく、前記制御装置のディスプレー（９０）に表示される前記ナビゲーションメニュー（９２０）を制御するために前記制御装置（３０）を制御することを含む、請求項１〜１１のいずれかに記載の方法。
【請求項１３】
前記制御装置のディスプレー（９０）は、タッチ入力に反応するタッチスクリーンディスプレーであり、前記制御装置（３０）を制御するステップは、前記タッチスクリーンディスプレーに前記タッチ入力を与えることを含む、請求項１２に記載の方法。
【請求項１４】
前記表示装置（８０）は、前記コンテンツ（８１０、８２０、８３０）を表示するためのタッチスクリーンディスプレーを含む、請求項１〜１３のいずれかに記載の方法。
【請求項１５】
前記向きの変化は向き検知装置（５０）によって検知され、該向き検知装置（５０）はジャイロスコープである、請求項１〜１４のいずれかに記載の方法。
【請求項１６】
表示装置（８０）を制御するための制御装置（３０）であって、該制御装置（３０）は、複数の向きで動作可能であるとともに、
前記制御装置（３０）の向きの変化を検知するようにされた向き検知装置（５０）と、
前記向き検知装置（５０）による前記向きの変化の検知に応答して前記表示装置（８０）に表示されるコンテンツ（８１０、８２０、８３０）に関するナビゲーションメニュー（９２０）を生成するように構成された演算処理装置（６０）と、
前記表示装置（８０）を制御することを容易にするために、前記演算処理装置（６０）によって生成された前記ナビゲーションメニュー（９２０）を表示するための制御装置のディスプレー（９０）と、
を含む制御装置（３０）。
【請求項１７】
前記ナビゲーションメニュー（９２０）は、前記表示装置（８０）によって表示される前記コンテンツ（８１０、８２０、８３０）を変えるための多くのショートカット又はリンクを含む、請求項１６に記載の制御装置（３０）。
【請求項１８】
前記ナビゲーションメニュー（９２０）は、前記表示装置（８０）によって表示される前記コンテンツ（８１０、８２０、８３０）の一部を含む、請求項１６又は１７に記載の制御装置（３０）。
【請求項１９】
前記ナビゲーションメニュー（９２０）は、前記制御装置（３０）によって受け取られたデータに基づいて生成される、請求項１６〜１８のいずれかに記載の制御装置（３０）。
【請求項２０】
前記ナビゲーションメニュー（９２０）は、ビデオ、オーディオ、又はビデオ及びオーディオの制御メニューを含む、請求項１６〜１９のいずれかに記載の制御装置（３０）。
【請求項２１】
前記制御装置（３０）は、前記表示装置（８０）に表示される前記コンテンツ（８１０、８２０、８３０）を制御するようにされる、請求項１６〜２０のいずれかに記載の制御装置（３０）。
【請求項２２】
前記制御装置（３０）は、前記表示装置（８０）に表示される前記コンテンツ（８１０、８２０、８３０）を変えることによって、前記表示装置（８０）に表示される前記コンテンツ（８１０、８２０、８３０）を制御する、請求項２１に記載の制御装置（３０）。
【請求項２３】
前記制御装置（３０）は、前記表示装置（８０）によって表示される新たなコンテンツ（８１０、８２０、８３０）に関する新たなナビゲーションメニュー（９２０）を生成することと、前記新たなコンテンツ（８１０、８２０、８３０）に関する前記新たなナビゲーションメニュー（９２０）を前記制御装置（３０）の前記ディスプレー（９０）に表示することとによって、前記表示装置（８０）に表示される前記コンテンツ（８１０、８２０、８３０）を変える、請求項２２に記載の制御装置（３０）。
【請求項２４】
前記制御装置のディスプレー（９０）は、タッチ入力に反応するタッチスクリーンディスプレーであり、前記制御装置（３０）は、前記タッチスクリーンディスプレーへの前記タッチ入力に基づいて前記表示装置（８０）に表示される前記コンテンツ（８１０、８２０、８３０）を制御する、請求項２１〜２３のいずれかに記載の制御装置（３０）。
【請求項２５】
前記タッチ入力は、ユーザーによる前記タッチスクリーンディスプレー上でのスワイプ又はページング動作を含む、請求項２４に記載の制御装置（３０）。
【請求項２６】
前記タッチ入力は、ユーザーによる前記タッチスクリーンディスプレー上でのシングルタッチ動作を含む、請求項２４に記載の制御装置（３０）。
【請求項２７】
前記制御装置（３０）は、前記表示装置に表示される前記コンテンツ（８１０、８２０、８３０）を変えることなく前記制御装置のディスプレー（９０）に表示される前記ナビゲーションメニュー（９２０）を制御するようにされる、請求項１６〜２６のいずれかに記載の制御装置（３０）。
【請求項２８】
前記制御装置のディスプレー（９０）は、タッチ入力に反応するタッチスクリーンディスプレーであり、前記制御装置（３０）は、前記タッチスクリーンディスプレーへの前記タッチ入力に基づいて前記制御装置のディスプレー（９０）に表示される前記ナビゲーションメニュー（９２０）を制御する、請求項２７に記載の制御装置（３０）。
【請求項２９】
前記表示装置（８０）は、前記コンテンツ（８１０、８２０、８３０）を表示するためのタッチスクリーンディスプレーを含む、請求項１６〜２８のいずれかに記載の制御装置（３０）。
【請求項３０】
前記向き検知装置（５０）はジャイロスコープである、請求項１６〜２９のいずれかに記載の制御装置（３０）。
【請求項３１】
制御装置（３００）を使用して表示装置（３８０）を制御する方法であって、
前記制御装置（３００）についてのナビゲーションモードの選択を受け取ることと、
前記ナビゲーションモードの前記選択の受け取りに応答して、前記表示装置（３８０）によって表示されるコンテンツに関するコンテキスト情報を前記制御装置（３００）の演算処理装置（３６０）で生成することと、
前記表示装置（３８０）を制御することを容易にするために、前記演算処理装置（３６０）によって生成された前記コンテキスト情報を前記制御装置（３００）のディスプレー（３９０）に表示することと、
を含む方法。
【請求項３２】
前記制御装置のディスプレー（３９０）は、タッチ入力に反応するタッチスクリーンディスプレーであり、前記制御装置（３００）についての前記ナビゲーションモードの前記選択を受け取るステップは、前記タッチスクリーンディスプレーに前記タッチ入力を与えることを含む、請求項３１に記載の方法。
【請求項３３】
前記タッチ入力は、前記タッチスクリーンディスプレーの外周の近くでのスワイプ、ページング又はドラッグ動作である、請求項３２に記載の方法。
【請求項３４】
前記コンテキスト情報はナビゲーションメニューを含む、請求項３１〜３３のいずれかに記載の方法。
【請求項３５】
前記コンテキスト情報は、前記表示装置（３８０）によって表示される前記コンテンツの一部を含む、請求項３１〜３４のいずれかに記載の方法。
【請求項３６】
前記コンテキスト情報は、前記制御装置（３００）によって受け取られたデータに基づいて生成される、請求項３１〜３５のいずれかに記載の方法。
【請求項３７】
前記コンテキスト情報は、ビデオ、オーディオ、又はビデオ及びオーディオの制御メニューを含む、請求項３１〜３６のいずれかに記載の方法。
【請求項３８】
前記表示装置（３８０）に表示される前記コンテンツを制御するために、前記制御装置（３００）を制御することを含む、請求項３１〜３７のいずれかに記載の方法。
【請求項３９】
前記制御装置（３００）を制御するステップは、前記表示装置（３８０）に表示される前記コンテンツを変えることを含む、請求項３８に記載の方法。
【請求項４０】
前記表示装置（３８０）によって表示される新たなコンテンツに関するコンテキスト情報を生成することと、前記新たなコンテンツに関する前記コンテキスト情報を前記制御装置（３００）の前記ディスプレー（３９０）に表示することとを含む、請求項３９に記載の方法。
【請求項４１】
前記制御装置のディスプレー（３９０）は、タッチ入力に反応するタッチスクリーンディスプレーであり、前記制御装置（３００）を制御するステップは、前記表示装置（３８０）を制御するために前記タッチスクリーンディスプレーに前記タッチ入力を与えることを含む、請求項３８〜４０のいずれかに記載の方法。
【請求項４２】
前記タッチ入力は、ユーザーによる前記タッチスクリーンディスプレー上でのスワイプ、ページング又はドラッグ動作を含む、請求項４１に記載の方法。
【請求項４３】
前記タッチ入力は、ユーザーによる前記タッチスクリーンディスプレー上でのシングルタッチ動作を含む、請求項４１に記載の方法。
【請求項４４】
前記表示装置に表示される前記コンテンツを変えることなく、前記制御装置のディスプレー（３９０）に表示される前記コンテキスト情報を制御するために前記制御装置（３００）を制御することを含む、請求項３１〜４２のいずれかに記載の方法。
【請求項４５】
前記制御装置のディスプレー（３９０）は、タッチ入力に反応するタッチスクリーンディスプレーであり、前記制御装置（３００）を制御するステップは、前記タッチスクリーンディスプレーに前記タッチ入力を与えることを含む、請求項４４に記載の方法。
【請求項４６】
前記表示装置（３８０）は、前記コンテンツを表示するためのタッチスクリーンディスプレーを含む、請求項３１〜４５のいずれかに記載の方法。
【請求項４７】
表示装置（３８０）を制御するための制御装置（３００）であって、
該制御装置（３００）についてのナビゲーションモードの選択を受け取り、前記ナビゲーションモードの前記選択の受け取りに応答して、前記表示装置（３８０）によって表示されるコンテンツに関するコンテキスト情報を生成するように構成された演算処理装置（３６０）と、
前記表示装置（３８０）を制御することを容易にするために、前記演算処理装置（３６０）によって生成された前記コンテキスト情報を表示するための制御装置のディスプレー（３９０）と、
を含む制御装置（３００）。
【請求項４８】
前記制御装置のディスプレー（３９０）は、タッチ入力に反応するタッチスクリーンディスプレーであり、前記演算処理装置（３６０）は、前記タッチスクリーンディスプレーに与えられる前記タッチ入力により前記ナビゲーションモードの前記選択を受け取る、請求項４７に記載の制御装置（３００）。
【請求項４９】
前記タッチ入力は、前記タッチスクリーンディスプレーの外周の近くでのスワイプ、ページング又はドラッグ動作である、請求項４８に記載の制御装置（３００）。
【請求項５０】
前記コンテキスト情報はナビゲーションメニューを含む、請求項４７〜４９のいずれかに記載の制御装置（３００）。
【請求項５１】
前記コンテキスト情報は、前記表示装置（３８０）によって表示される前記コンテンツの一部を含む、請求項４７〜５０のいずれかに記載の制御装置（３００）。
【請求項５２】
前記コンテキスト情報は、前記制御装置（３００）によって受け取られたデータに基づいて生成される、請求項４７〜５１のいずれかに記載の制御装置（３００）。
【請求項５３】
前記コンテキスト情報は、ビデオ、オーディオ、又はビデオ及びオーディオの制御メニューを含む、請求項４７〜５２のいずれかに記載の制御装置（３００）。
【請求項５４】
前記制御装置（３００）は、前記表示装置（３８０）に表示される前記コンテンツを制御するようにされる、請求項４７〜５３のいずれかに記載の制御装置（３００）。
【請求項５５】
前記制御装置（３００）は、前記表示装置（３８０）に表示される前記コンテンツを変えることによって、前記表示装置（３８０）に表示される前記コンテンツを制御する、請求項５４に記載の制御装置（３００）。
【請求項５６】
前記制御装置（３００）は、前記表示装置（３８０）によって表示される新たなコンテンツに関するコンテキスト情報を生成することと、前記新たなコンテンツに関する前記コンテキスト情報を前記制御装置（３００）の前記ディスプレー（３９０）に表示することとによって、前記表示装置（３８０）に表示される前記コンテンツを変える、請求項５５に記載の制御装置（３００）。
【請求項５７】
前記制御装置のディスプレー（３９０）はタッチスクリーンディスプレーであり、前記制御装置（３００）は、前記タッチスクリーンディスプレーへのタッチ入力に基づいて前記表示装置（３８０）に表示される前記コンテンツを制御する、請求項５４〜５６のいずれかに記載の制御装置（３００）。
【請求項５８】
前記タッチ入力は、ユーザーによる前記タッチスクリーンディスプレー上でのスワイプ、ページング又はドラッグ動作を含む、請求項５７に記載の制御装置（３００）。
【請求項５９】
前記タッチ入力は、ユーザーによる前記タッチスクリーンディスプレー上でのシングルタッチ動作を含む、請求項５７に記載の制御装置（３００）。
【請求項６０】
前記制御装置（３００）は、前記表示装置に表示される前記コンテンツを変えることなく前記制御装置のディスプレー（３９０）に表示されるナビゲーションメニューを制御するようにされる、請求項４７〜５９のいずれかに記載の制御装置（３００）。
【請求項６１】
前記制御装置のディスプレー（３９０）は、タッチ入力に反応するタッチスクリーンディスプレーであり、前記制御装置（３００）は、前記タッチスクリーンディスプレーへの前記タッチ入力に基づいて前記制御装置のディスプレー（３９０）に表示される前記ナビゲーションメニューを制御する、請求項６０に記載の制御装置（３００）。
【請求項６２】
前記表示装置（３８０）は、前記コンテンツを表示するためのタッチスクリーンディスプレーを含む、請求項４７〜６１のいずれかに記載の制御装置（３００）。
【請求項６３】
複数のナビゲーションモードで動作可能である制御装置（６００）を使用して表示装置（６８０）を制御する方法であって、
前記制御装置（６００）についての前記ナビゲーションモードの選択を受け取ることと、ここで前記ナビゲーションモードは、（ａ）前記制御装置（６００）のディスプレー（６９０）が、前記表示装置（６８０）を制御することを容易にする情報を表示する第１のナビゲーションモード、又は（ｂ）前記制御装置のディスプレー（６９０）が、前記表示装置（６８０）を制御することを容易にする情報を表示しない第２のナビゲーションモードであり、
前記第１のナビゲーションモードの選択の受け取りに応答して、前記表示装置（６８０）を制御することを容易にする情報を前記制御装置のディスプレー（６９０）上に表示するため、又は前記第２のナビゲーションモードの選択の受け取りに応答して、前記表示装置（６８０）を制御することを容易にする情報を前記制御装置のディスプレー（６９０）上に表示しないためのいずれかのために、前記制御装置のディスプレー（６９０）を制御することと、
を含む方法。
【請求項６４】
前記制御装置のディスプレー（６９０）は、タッチ入力に反応するタッチスクリーンディスプレーであり、ユーザーの入力は前記タッチ入力である、請求項６３に記載の方法。
【請求項６５】
前記第１のナビゲーションモードは、前記タッチスクリーンディスプレー（６９０）が前記表示装置（６８０）を制御することを容易にする情報を表示するタッチパッドモードである、請求項６４に記載の方法。
【請求項６６】
前記第２のナビゲーションモードは、前記タッチスクリーンディスプレー（６９０）が前記表示装置（６８０）を制御することを容易にする情報を表示しないトラックパッドモードである、請求項６４又は６５に記載の方法。
【請求項６７】
前記表示装置（６８０）を制御することを容易にする情報を前記制御装置のディスプレー（６９０）上に表示しないために前記制御装置のディスプレー（６９０）を制御するステップは、前記制御装置のディスプレー（６９０）がいずれかの情報を表示することができないようにすることを含む、請求項６３〜６６のいずれかに記載の方法。
【請求項６８】
前記表示装置（６８０）を制御することを容易にする情報を前記制御装置のディスプレー（６９０）上に表示しないために前記制御装置のディスプレー（６９０）を制御するステップは、空白画像を表示するように前記制御装置のディスプレー（６９０）を制御することを含む、請求項６３〜６６のいずれかに記載の方法。
【請求項６９】
前記第２のナビゲーションモードの選択の受け取りに応答して、前記表示装置（６８０）にインジケーターを表示することを含む、請求項６３〜６８のいずれかに記載の方法。
【請求項７０】
前記第２のナビゲーションモードの選択を受け取った後に、前記表示装置（６８０）に表示されるコンテンツを制御するために、前記タッチスクリーンディスプレーでタッチ入力を受け取ることを含む、請求項６４〜６９のいずれかに記載の方法。
【請求項７１】
前記タッチ入力はドラッグ動作であり、前記表示装置（６８０）に表示されるインジケーターの位置は、前記タッチスクリーンディスプレーに与えられる前記ドラッグ動作によって、前記ドラッグ動作に従って変更される、請求項７０に記載の方法。
【請求項７２】
前記タッチ入力はタップ動作である、請求項７０に記載の方法。
【請求項７３】
前記タッチ入力はスワイプ動作である、請求項７０に記載の方法。
【請求項７４】
前記第２のナビゲーションモードの選択を受け取った後に、前記表示装置（６８０）に表示されるコンテンツを制御するためにユーザーの入力を受け取ることを更に含む、請求項６３〜７３のいずれかに記載の方法。
【請求項７５】
前記ユーザーの入力は、動作感知装置（６３０）によって検知される手の動きである、請求項７４に記載の方法。
【請求項７６】
前記動作感知装置（６３０）は赤外線センサーである、請求項７５に記載の方法。
【請求項７７】
前記表示装置（６８０）は、コンテンツを表示するためのタッチスクリーンディスプレーを含む、請求項６３〜７６のいずれかに記載の方法。
【請求項７８】
表示装置（６８０）を制御するための制御装置（６００）であって、該制御装置（６００）は、複数のナビゲーションモードで動作可能であるとともに、
制御装置のディスプレー（６９０）と、
演算処理装置（６００）と、
を含み、前記演算処理装置（６００）は、前記制御装置（６００）についての前記ナビゲーションモードの選択を受け取るように構成され、ここで前記ナビゲーションモードは、（ａ）前記制御装置のディスプレー（６９０）が、前記表示装置（６８０）を制御することを容易にする情報を表示する第１のナビゲーションモード、又は（ｂ）前記制御装置のディスプレー（６９０）が、前記表示装置（６８０）を制御することを容易にする情報を表示しない第２のナビゲーションモードであり、更に前記演算処理装置（６００）は、前記第１のナビゲーションモードの選択の受け取りに応答して、前記表示装置（６８０）を制御することを容易にする情報を前記制御装置のディスプレー（６９０）上に表示するため、又は前記第２のナビゲーションモードの選択の受け取りに応答して、前記表示装置（６８０）を制御することを容易にする情報を前記制御装置のディスプレー（６９０）上に表示しないためのいずれかのために、制御装置のディスプレー（６９０）を制御するように構成される、制御装置（６００）。
【請求項７９】
前記制御装置のディスプレー（６９０）は、タッチ入力に反応するタッチスクリーンディスプレーであり、ユーザーの入力は前記タッチ入力である、請求項７８に記載の制御装置（６００）。
【請求項８０】
前記第１のナビゲーションモードは、前記タッチスクリーンディスプレー（６９０）が前記表示装置（６８０）を制御することを容易にする情報を表示するタッチパッドモードである、請求項７９に記載の制御装置（６００）。
【請求項８１】
前記第２のナビゲーションモードは、前記タッチスクリーンディスプレー（６９０）が前記表示装置（６８０）を制御することを容易にする情報を表示しないトラックパッドモードである、請求項７９又は８０に記載の制御装置（６００）。
【請求項８２】
前記演算処理装置（６６０）は、前記制御装置のディスプレー（６９０）がいずれかの情報を表示することができないようにすることによって、前記表示装置（６８０）を制御することを容易にする情報を前記制御装置のディスプレー（６９０）上に表示しないように前記制御装置のディスプレー（６９０）を制御する、請求項７８〜８１のいずれかに記載の制御装置（６００）。
【請求項８３】
前記演算処理装置（６６０）は、空白画像を表示するように前記制御装置のディスプレー（６９０）を制御することによって、前記表示装置（６８０）を制御することを容易にする情報を前記制御装置のディスプレー（６９０）上に表示しないように前記制御装置のディスプレー（６９０）を制御する、請求項７８〜８１のいずれかに記載の制御装置（６００）。
【請求項８４】
前記演算処理装置（６６０）が前記第２のナビゲーションモードの選択を受け取ることによって、インジケーターが前記表示装置（６８０）に表示される、請求項７８〜８３のいずれかに記載の制御装置（６００）。
【請求項８５】
前記演算処理装置（６６０）は、前記第２のナビゲーションモードの選択を受け取った後に、前記表示装置（６８０）に表示されるコンテンツを制御するために、前記タッチスクリーンディスプレーからタッチ入力を受け取るように構成される、請求項７９〜８４のいずれかに記載の制御装置（６００）。
【請求項８６】
前記タッチ入力はドラッグ動作であり、前記表示装置（６８０）に表示されるインジケーターの位置は、前記タッチスクリーンディスプレーに与えられる前記ドラッグ動作によって、前記ドラッグ動作に従って変更される、請求項８５に記載の制御装置（６００）。
【請求項８７】
前記タッチ入力はタップ動作である、請求項８５に記載の制御装置（６００）。
【請求項８８】
前記タッチ入力はスワイプ動作である、請求項８５に記載の制御装置（６００）。
【請求項８９】
前記演算処理装置（６６０）は、前記第２のナビゲーションモードの選択を受け取った後に、前記表示装置（６８０）に表示されるコンテンツを制御するためにユーザーの入力を受け取るように構成される、請求項７８〜８８のいずれかに記載の制御装置（６００）。
【請求項９０】
前記ユーザーの入力は、動作感知装置（６３０）によって検知される手の動きである、請求項８９に記載の制御装置（６００）。
【請求項９１】
前記動作感知装置（６３０）は赤外線センサーである、請求項９０に記載の制御装置（６００）。
【請求項９２】
前記表示装置（６８０）は、コンテンツを表示するためのタッチスクリーンディスプレーを含む、請求項７８〜９１のいずれかに記載の制御装置（６００）。
【請求項９３】
複数のシステムユニットを含む機内娯楽システム（８０）であって、前記システムユニットのそれぞれ１つは、
コンテンツ（８１０、８２０、８３０）を表示するためのタッチスクリーンディスプレー（８０、３８０、６８０）と、
請求項１６〜３０、４７〜６２、７８〜９２のいずれかに記載の制御装置（３０、３００、６００）と、
を含む、機内娯楽システム（８０）。
【請求項９４】
請求項９３に記載の機内娯楽システム（８０）を含む航空機。
【発明の詳細な説明】
【技術分野】
【０００１】
本発明は、表示装置を制御するための方法及び装置に関し、特に、限定ではないが、航空機の機内娯楽（ＩＦＥ）システムのディスプレーを制御することに適用される。
【背景技術】
【０００２】
ＩＦＥシステムの端末装置は、少しのボタンからなる簡単な装置から複数の入力機構を有する複雑な装置へ、長年にわたって発展した。ＩＦＥシステムの端末装置で使用される入力機構の例としては、キーパッド、ゲームパッド、トラックボール、ジョイスティック、スクロールホイール、タッチパッド、トラックパッドなどである。一般的には、端末装置の入力機構のそれぞれ１つが、他の入力機構から独立して使用される。例えば、既知のＩＦＥシステムのリモコン装置は、映画を切り換えるために使用される第１のキーパッドと、ゲームを遊ぶために使用される第２のキーパッドとを含む。
【発明の概要】
【課題を解決するための手段】
【０００３】
本発明は、複数の向きで動作可能な制御装置を使用して表示装置を制御する方法を提供し、その方法は、
制御装置の向きの変化を検知することと、
制御装置の向きの変化の検知に応答して、表示装置によって表示されるコンテンツに関するナビゲーションメニューを制御装置の演算処理装置で生成することと、
表示装置を制御することを容易にするために、演算処理装置によって生成されたナビゲーションメニューを制御装置のディスプレーに表示することと、
を含む。
【０００４】
ナビゲーションメニューは、表示装置によって表示されるコンテンツを変えるための多くのショートカット又はリンクを含むことができる。更に又はあるいは、ナビゲーションメニューは、表示装置によって表示されるコンテンツの一部を含むことができる。
【０００５】
ナビゲーションメニューは、制御装置によって受け取られたデータに基づいて生成されることができる。また、ナビゲーションメニューは、ビデオ、オーディオ、又はビデオ及びオーディオの制御メニューを含むことができる。
【０００６】
本発明の方法は、表示装置に表示されるコンテンツを制御するために、制御装置を制御することを含むことができる。
【０００７】
一実施形態では、制御装置を制御するステップは、表示装置に表示されるコンテンツを変えることを含む。
【０００８】
本発明の方法は、表示装置によって表示される新たなコンテンツに関する新たなナビゲーションメニューを生成することと、新たなコンテンツに関する新たなナビゲーションメニューを制御装置のディスプレーに表示することとを含む。
【０００９】
一実施形態では、制御装置のディスプレーは、タッチ入力に反応するタッチスクリーンディスプレーであり、制御装置を制御するステップは、表示装置を制御するために、タッチスクリーンディスプレーにタッチ入力を与えることを含む。
【００１０】
一実施形態では、タッチ入力は、ユーザーによるタッチスクリーンディスプレー上でのスワイプ又はページング動作を含む。
【００１１】
一実施形態では、タッチ入力は、ユーザーによるタッチスクリーンディスプレー上でのシングルタッチ動作を含む。
【００１２】
本発明の方法は、表示装置に表示されるコンテンツを変えることなく、制御装置のディスプレーに表示されるナビゲーションメニューを制御するために、制御装置を制御することを含む。
【００１３】
一実施形態では、制御装置のディスプレーは、タッチ入力に反応するタッチスクリーンディスプレーであり、制御装置を制御するステップは、タッチスクリーンディスプレーにタッチ入力を与えることを含む。
【００１４】
一実施形態では、表示装置は、コンテンツを表示するためのタッチスクリーンディスプレーを含む。
【００１５】
一実施形態では、向きの変化は向き検知装置によって検知され、向き検知装置はジャイロスコープである。
【００１６】
本発明は、表示装置を制御するための制御装置を提供する。制御装置は、複数の向きで動作可能であるとともに、
制御装置の向きの変化を検知するようにされた向き検知装置と、
向き検知装置による向きの変化の検知に応答して表示装置に表示されるコンテンツに関するナビゲーションメニューを生成するように構成された演算処理装置と、
表示装置を制御することを容易にするために、演算処理装置によって生成されたナビゲーションメニューを表示するための制御装置のディスプレーと、
を含む。
【００１７】
一実施形態では、ナビゲーションメニューは、表示装置によって表示されるコンテンツを変えるための多くのショートカット又はリンクを含む。
【００１８】
一実施形態では、ナビゲーションメニューは、表示装置によって表示されるコンテンツの一部を含む。
【００１９】
一実施形態では、ナビゲーションメニューは、制御装置によって受け取られたデータに基づいて生成される。
【００２０】
一実施形態では、ナビゲーションメニューは、ビデオ、オーディオ、又はビデオ及びオーディオの制御メニューを含む。
【００２１】
一実施形態では、制御装置は、表示装置に表示されるコンテンツを制御するようにされる。
【００２２】
一実施形態では、制御装置は、表示装置に表示されるコンテンツを変えることによって、表示装置に表示されるコンテンツを制御する。
【００２３】
一実施形態では、制御装置は、
表示装置によって表示される新たなコンテンツに関する新たなナビゲーションメニューを生成することと、
新たなコンテンツに関する新たなナビゲーションメニューを制御装置のディスプレーに表示することと、
によって、表示装置に表示されるコンテンツを変える。
【００２４】
一実施形態では、制御装置のディスプレーは、タッチ入力に反応するタッチスクリーンディスプレーであり、制御装置は、タッチスクリーンディスプレーへのタッチ入力に基づいて、表示装置に表示されるコンテンツを制御する。
【００２５】
一実施形態では、タッチ入力は、ユーザーによるタッチスクリーンディスプレー上でのスワイプ又はページング動作を含む。
【００２６】
一実施形態では、タッチ入力は、ユーザーによるタッチスクリーンディスプレー上でのシングルタッチ動作を含む。
【００２７】
一実施形態では、制御装置は、表示装置に表示されるコンテンツを変えることなく制御装置のディスプレーに表示されるナビゲーションメニューを制御するようにされる。
【００２８】
一実施形態では、制御装置のディスプレーは、タッチ入力に反応するタッチスクリーンディスプレーであり、制御装置は、タッチスクリーンディスプレーへのタッチ入力に基づいて、制御装置のディスプレーに表示されるナビゲーションメニューを制御する。
【００２９】
一実施形態では、表示装置は、コンテンツを表示するためのタッチスクリーンディスプレーを含む。
【００３０】
一実施形態では、向き検知装置はジャイロスコープである。
【００３１】
本発明はまた、制御装置を使用して表示装置を制御する方法を提供し、その方法は、
制御装置についてのナビゲーションモードの選択を受け取ることと、
ナビゲーションモードの選択の受け取りに応答して、表示装置によって表示されるコンテンツに関するコンテキスト情報を制御装置の演算処理装置で生成することと、
表示装置を制御することを容易にするために、演算処理装置によって生成されたコンテキスト情報を制御装置のディスプレーに表示することと、
を含む。
【００３２】
一実施形態では、制御装置のディスプレーは、タッチ入力に反応するタッチスクリーンディスプレーであり、本発明の方法は、タッチスクリーンディスプレーにタッチ入力を与えることを含む。その場合、タッチスクリーンディスプレーに与えられるタッチ入力で、ナビゲーションモードの選択は受け取られる。タッチ入力は、タッチスクリーンディスプレーの外周の近くでのスワイプ、ページング又はドラッグ動作であり得る。
【００３３】
一実施形態では、コンテキスト情報はナビゲーションメニューを含む。
【００３４】
一実施形態では、コンテキスト情報は、表示装置によって表示されるコンテンツの一部を含む。
【００３５】
一実施形態では、コンテキスト情報は、制御装置によって受け取られたデータに基づいて生成される。
【００３６】
一実施形態では、コンテキスト情報は、ビデオ、オーディオ、又はビデオ及びオーディオの制御メニューを含む。
【００３７】
本発明の方法は、表示装置に表示されるコンテンツを制御するために、制御装置のディスプレーを制御することを含む。
【００３８】
制御装置を制御するステップは、表示装置に表示されるコンテンツを変えることを含む。その場合、本発明の方法は、表示装置によって表示される新たなコンテンツに関するコンテキスト情報を生成することを含む。更に、本発明の方法は、新たなコンテンツに関するコンテキスト情報を制御装置のディスプレーに表示することを含む。
【００３９】
一実施形態では、制御装置のディスプレーは、タッチ入力に反応するタッチスクリーンディスプレーであり、制御装置を制御するステップは、表示装置を制御するために、タッチスクリーンディスプレーにタッチ入力を与えることを含む。
【００４０】
一実施形態では、タッチ入力は、ユーザーによるタッチスクリーンディスプレー上でのスワイプ又はページング動作を含む。
【００４１】
別の実施形態では、それだけが可能ということではないが、タッチ入力は、ユーザーによるタッチスクリーンディスプレー上でのシングルタッチ動作を含む。
【００４２】
別の実施形態では、それだけが可能ということではないが、タッチ入力は、トラッキング又はドラッグ動作を含む。
【００４３】
本発明の方法は、表示装置に表示されるコンテンツを変えることなく制御装置のディスプレーに表示されるコンテキスト情報を制御するために、制御装置を制御することを含む。
【００４４】
一実施形態では、制御装置のディスプレーは、タッチ入力に反応するタッチスクリーンディスプレーであり、制御装置を制御するステップは、タッチスクリーンディスプレーにタッチ入力を与えることを含む。
【００４５】
一実施形態では、表示装置は、コンテンツを表示するためのタッチスクリーンディスプレーを含む。
【００４６】
本発明はまた、表示装置を制御するための制御装置を提供し、制御装置は、
制御装置についてのナビゲーションモードの選択を受け取り、ナビゲーションモードの選択の受け取りに応答して、表示装置によって表示されるコンテンツに関するコンテキスト情報を生成するように構成された演算処理装置と、
表示装置を制御することを容易にするために、演算処理装置によって生成されたコンテキスト情報を表示するための制御装置のディスプレーと、
を含む。
【００４７】
一実施形態では、制御装置のディスプレーは、タッチ入力に反応するタッチスクリーンディスプレーであり、演算処理装置は、タッチスクリーンディスプレーに与えられるタッチ入力によりナビゲーションモードの選択を受け取る。
【００４８】
一実施形態では、タッチ入力は、タッチスクリーンディスプレーの外周の近くでのスワイプ、ページング又はドラッグ動作である。
【００４９】
一実施形態では、コンテキスト情報はナビゲーションメニューを含む。
【００５０】
一実施形態では、コンテキスト情報は、表示装置によって表示されるコンテンツの一部を含む。
【００５１】
一実施形態では、コンテキスト情報は、制御装置によって受け取られたデータに基づいて生成される。
【００５２】
一実施形態では、コンテキスト情報は、ビデオ、オーディオ、又はビデオ及びオーディオの制御メニューを含む。
【００５３】
一実施形態では、制御装置は、表示装置に表示されるコンテンツを制御するようにされる。
【００５４】
一実施形態では、制御装置は、表示装置に表示されるコンテンツを変えることによって、表示装置に表示されるコンテンツを制御する。
【００５５】
一実施形態では、制御装置は、
表示装置によって表示される新たなコンテンツに関するコンテキスト情報を生成することと、
新たなコンテンツに関するコンテキスト情報を制御装置のディスプレーに表示することと、
によって、表示装置に表示されるコンテンツを変える。
【００５６】
一実施形態では、制御装置のディスプレーはタッチスクリーンディスプレーであり、制御装置は、タッチスクリーンディスプレーへのタッチ入力に基づいて、表示装置に表示されるコンテンツを制御する。
【００５７】
一実施形態では、タッチ入力は、ユーザーによるタッチスクリーンディスプレー上でのスワイプ、ページング又はドラッグ動作を含む。
【００５８】
一実施形態では、タッチ入力は、ユーザーによるタッチスクリーンディスプレー上でのシングルタッチ動作を含む。
【００５９】
一実施形態では、制御装置は、表示装置に表示されるコンテンツを変えることなく制御装置のディスプレーに表示されるナビゲーションメニューを制御するようにされる。
【００６０】
一実施形態では、制御装置のディスプレーは、タッチ入力に反応するタッチスクリーンディスプレーであり、制御装置は、タッチスクリーンディスプレーへのタッチ入力に基づいて、制御装置のディスプレーに表示されるナビゲーションメニューを制御する。
【００６１】
一実施形態では、表示装置は、コンテンツを表示するためのタッチスクリーンディスプレーを含む。
【００６２】
本発明はまた、複数のナビゲーションモードで動作可能である制御装置を使用して表示装置を制御する方法を提供し、その方法は、
制御装置についてのナビゲーションモードの選択を受け取ることと、ここでナビゲーションモードは、（ａ）制御装置のディスプレーが、表示装置を制御することを容易にする情報を表示する第１のナビゲーションモード、又は（ｂ）制御装置のディスプレーが、表示装置を制御することを容易にする情報を表示しない第２のナビゲーションモードであり、
第１のナビゲーションモードの選択の受け取りに応答して表示装置を制御することを容易にする情報を制御装置のディスプレー上に表示するため又は第２のナビゲーションモードの選択の受け取りに応答して表示装置を制御することを容易にする情報を制御装置のディスプレー上に表示しないためのいずれかのために、制御装置のディスプレーを制御することと、
を含む。
【００６３】
一実施形態では、制御装置のディスプレーは、タッチ入力に反応するタッチスクリーンディスプレーであり、ユーザーの入力はタッチ入力である。
【００６４】
一実施形態では、第１のナビゲーションモードは、タッチスクリーンディスプレーが表示装置を制御することを容易にする情報を表示するタッチパッドモードである。
【００６５】
一実施形態では、第２のナビゲーションモードは、タッチスクリーンディスプレーが表示装置を制御することを容易にする情報を表示しないトラックパッドモードである。
【００６６】
一実施形態では、表示装置を制御することを容易にする情報を制御装置のディスプレー上に表示しないために制御装置のディスプレーを制御するステップは、制御装置のディスプレーがいずれかの情報を表示することができないようにすることを含む。
【００６７】
一実施形態では、表示装置を制御することを容易にする情報を制御装置のディスプレー上に表示しないために制御装置のディスプレーを制御するステップは、空白画像を表示するように制御装置のディスプレーを制御することを含む。
【００６８】
本発明の方法は、第２のナビゲーションモードの選択の受け取りに応答して、表示装置にインジケーターを表示することを含むことができる。
【００６９】
本発明の方法は、第２のナビゲーションモードの選択を受け取った後に、表示装置に表示されるコンテンツを制御するために、タッチスクリーンディスプレーでタッチ入力を受け取ることを含むことができる。
【００７０】
一実施形態では、タッチ入力はドラッグ動作であり、表示装置に表示されるインジケーターの位置は、タッチスクリーンディスプレーに与えられるドラッグ動作によって、ドラッグ動作に従って変更される。
【００７１】
一実施形態では、タッチ入力はタップ動作である。
【００７２】
一実施形態では、タッチ入力はスワイプ動作である。
【００７３】
本発明の方法は、第２のナビゲーションモードの選択を受け取った後に、表示装置に表示されるコンテンツを制御するために、ユーザーの入力を受け取ることを含むことができる。
【００７４】
一実施形態では、ユーザーの入力は、動作感知装置によって検知される手の動きである。
【００７５】
一実施形態では、動作感知装置は赤外線センサーである。
【００７６】
一実施形態では、表示装置は、コンテンツを表示するためのタッチスクリーンディスプレーを含む。
【００７７】
本発明はまた、表示装置を制御するための制御装置を提供する。制御装置は、複数のナビゲーションモードで動作可能であり、
制御装置のディスプレーと、
演算処理装置と、
を含み、演算処理装置は、制御装置についてのナビゲーションモードの選択を受け取るように構成され、ここでナビゲーションモードは、（ａ）制御装置のディスプレーが、表示装置を制御することを容易にする情報を表示する第１のナビゲーションモード、又は（ｂ）制御装置のディスプレーが、表示装置を制御することを容易にする情報を表示しない第２のナビゲーションモードであり、更に前記演算処理装置は、第１のナビゲーションモードの選択の受け取りに応答して、表示装置を制御することを容易にする情報を制御装置のディスプレー上に表示するため、又は第２のナビゲーションモードの選択の受け取りに応答して、表示装置を制御することを容易にする情報を制御装置のディスプレー上に表示しないためのいずれかのために、制御装置のディスプレーを制御するように構成される。
【００７８】
一実施形態では、制御装置のディスプレーは、タッチ入力に反応するタッチスクリーンディスプレーであり、ユーザーの入力はタッチ入力である。
【００７９】
一実施形態では、第１のナビゲーションモードは、タッチスクリーンディスプレーが表示装置を制御することを容易にする情報を表示するタッチパッドモードである。
【００８０】
一実施形態では、第２のナビゲーションモードは、タッチスクリーンディスプレーが表示装置を制御することを容易にする情報を表示しないトラックパッドモードである。
【００８１】
一実施形態では、演算処理装置は、制御装置のディスプレーがいずれかの情報を表示することができないようにすることによって、表示装置を制御することを容易にする情報を制御装置のディスプレー上に表示しないように制御装置のディスプレーを制御する。
【００８２】
一実施形態では、演算処理装置は、空白画像を表示するように制御装置のディスプレーを制御することによって、表示装置を制御することを容易にする情報を制御装置のディスプレー上に表示しないように制御装置のディスプレーを制御する。
【００８３】
一実施形態では、演算処理装置が第２のナビゲーションモードの選択を受け取ることによって、インジケーターが表示装置に表示される。
【００８４】
一実施形態では、演算処理装置は、第２のナビゲーションモードの選択を受け取った後に、表示装置に表示されるコンテンツを制御するために、タッチスクリーンディスプレーからタッチ入力を受け取るように構成される。
【００８５】
一実施形態では、タッチ入力はドラッグ動作であり、表示装置に表示されるインジケーターの位置は、タッチスクリーンディスプレーに与えられるドラッグ動作によって、ドラッグ動作に従って変更される。
【００８６】
一実施形態では、タッチ入力はタップ動作である。
【００８７】
一実施形態では、タッチ入力はスワイプ動作である。
【００８８】
一実施形態では、演算処理装置は、第２のナビゲーションモードの選択を受け取った後に、表示装置に表示されるコンテンツを制御するために、ユーザーの入力を受け取るように構成される。
【００８９】
一実施形態では、ユーザーの入力は、動作感知装置によって検知される手の動きである。
【００９０】
一実施形態では、動作感知装置は赤外線センサーである。
【００９１】
一実施形態では、表示装置は、コンテンツを表示するためのタッチスクリーンディスプレーを含む。
【００９２】
本発明はまた、複数のシステムユニットを含む機内娯楽システムを提供し、システムユニットのそれぞれ１つは、
コンテンツを表示するためのタッチスクリーンディスプレーと、
上記制御装置のいずれか１つと、
を含む。
【００９３】
本発明はまた、上記の機内娯楽システムを含む航空機を提供する。
【００９４】
本発明の上記態様のそれぞれの様々な特徴及び後述される実施形態の様々な特徴のいずれかもが、実際にはそれら自体が様々な態様であるが、適切かつ要望されるように、組み合わされることができることに注意されたい。後述される実施形態の個々の特徴のそれぞれが、単独で又は１つ以上の他のそのような特徴と組み合わされて、更なる本発明の態様を構成することにもまた注意されたい。
【００９５】
本発明がより明確にされるために、例として、実施形態が次の添付の図面を参照してここに記載される。
【図面の簡単な説明】
【００９６】
【図１Ａ】本発明の一実施形態での制御装置の物理的構成要素及び表示装置のブロック図である。
【図１Ｂ】図１Ａの制御装置の演算処理装置によって実装される機能要素の機能ブロック図である。
【図２】図１Ａの制御装置によって行われる表示装置を制御する方法のフローチャートである。
【図３Ａ】本発明の別の実施形態での制御装置の物理的構成要素及び表示装置のブロック図である。
【図３Ｂ】図３Ａの制御装置の演算処理装置によって実装される機能要素の機能ブロック図である。
【図４】図３Ａの制御装置によって行われる表示装置を制御する方法のフローチャートである。
【図５Ａ】コンテンツ及びコンテキスト情報の例を説明する概略図である。
【図５Ｂ】コンテンツ及びコンテキスト情報の例を説明する概略図である。
【図６Ａ】一連のコンテンツ及びコンテキスト情報を説明する画面の実物大表示である。
【図６Ｂ】一連のコンテンツ及びコンテキスト情報を説明する画面の実物大表示である。
【図６Ｃ】一連のコンテンツ及びコンテキスト情報を説明する画面の実物大表示である。
【図６Ｄ】一連のコンテンツ及びコンテキスト情報を説明する画面の実物大表示である。
【図６Ｅ】一連のコンテンツ及びコンテキスト情報を説明する画面の実物大表示である。
【図６Ｆ】一連のコンテンツ及びコンテキスト情報を説明する画面の実物大表示である。
【図６Ｇ】一連のコンテンツ及びコンテキスト情報を説明する画面の実物大表示である。
【図６Ｈ】一連のコンテンツ及びコンテキスト情報を説明する画面の実物大表示である。
【図７Ａ】別の一連のコンテンツ及びコンテキスト情報を説明する画面の実物大表示である。
【図７Ｂ】別の一連のコンテンツ及びコンテキスト情報を説明する画面の実物大表示である。
【図７Ｃ】別の一連のコンテンツ及びコンテキスト情報を説明する画面の実物大表示である。
【図８Ａ】更に別の一連のコンテンツ及びコンテキスト情報を説明する画面の実物大表示である。
【図８Ｂ】更に別の一連のコンテンツ及びコンテキスト情報を説明する画面の実物大表示である。
【図８Ｃ】更に別の一連のコンテンツ及びコンテキスト情報を説明する画面の実物大表示である。
【図８Ｄ】更に別の一連のコンテンツ及びコンテキスト情報を説明する画面の実物大表示である。
【図８Ｅ】更に別の一連のコンテンツ及びコンテキスト情報を説明する画面の実物大表示である。
【図９Ａ】本発明の更に別の実施形態での制御装置の物理的構成要素及び表示装置のブロック図である。
【図９Ｂ】図９Ａの制御装置の演算処理装置によって実装される機能要素の機能ブロック図である。
【図１０】図９Ａの制御装置によって行われる表示装置を制御する方法のフローチャートである。
【発明を実施するための形態】
【００９７】
概して、図面に関連して記載された本発明は、少なくとも２つの異なる動作モードで動作可能な制御装置を使用して表示装置を制御する方法である。
【００９８】
図１Ａ、１Ｂ、３Ａ、３Ｂを参照すると、ユーザーにコンテンツ（例えば、ビデオストリーム、ナビゲーションメニューなど）を表示する表示装置８０（例えば、機内娯楽（ＩＦＥ）システムのディスプレーなど）を制御する制御装置３０（端末コントローラーの形態）が示されている。制御装置３０は、制御装置３０についてのナビゲーションモードの選択を受け取り、ナビゲーションモードの選択の受け取りに応答して、表示装置８０に表示されるコンテンツに関するコンテキスト情報を生成して表示するように構成される。そのため、制御装置３０によって生成及び表示されたコンテキスト情報は、制御装置３０についてのナビゲーションモードの選択に依存する。
【００９９】
有益な実施形態では、制御装置３０は、制御装置３０の向きの変更によって、ナビゲーションモードの選択を受け取るようにされる。制御装置３０のこの実施形態は、制御装置３０のユーザーが、制御装置３０の向きを単に変更することで、制御装置３０によって生成及び表示されたコンテキスト情報を容易に又は素早く変更できる点において有利である。
【０１００】
特に有益な実施形態では、制御装置３０は、制御装置３０の向きに基づいて異なる動作モードで表示装置８０を制御するために、表示装置８０と通信するようにさらに構成される。この特に有益な実施形態は、制御装置３０のユーザーが、制御装置３０の向きを単に変更することによって、表示装置８０を制御する異なる方法を容易に又は素早く切り替えることができるという更なる利点を有する。
【０１０１】
図１Ａは、表示装置８０とデータ通信する制御装置３０の実施形態の物理的構成要素のブロック図である。この実施形態では、表示装置８０はＩＦＥのタッチスクリーンディスプレーであり、制御装置３０はディスプレーを制御するための端末コントローラーである。しかし、表示装置８０はＩＦＥディスプレーでなく、制御装置３０はＩＦＥディスプレーを制御するための端末コントローラーでないことも想定される。特に、表示装置８０はタッチスクリーンのディスプレーである必要がないことが想定される。
【０１０２】
制御装置３０は、向き検知装置５０、演算処理装置６０、及びディスプレー９０を含む。
【０１０３】
向き検知装置５０は、制御装置３０の向きの変化を検知するようにされる。この実施形態では、向き検知装置５０はジャイロスコープである。しかし、向き検知装置５０はジャイロスコープでないことも想定される。例えば、向き検知装置５０は、他の実施形態では代わりに加速度計であってもよい。また、向き検知装置５０において、２つ以上の個別の装置があることも想定される。例えば、向き検知装置５０は、他の実施形態ではジャイロスコープに加えて加速度計を含むことができる。
【０１０４】
演算処理装置６０は、ＩＦＥディスプレー８０に表示されるコンテンツに関連するコンテキスト情報を生成するように構成される。演算処理装置６０は、制御装置３０の向きの変化があったことの向き検知装置５０による検知に応答して、自動的にコンテキスト情報を生成する。演算処理装置６０によって生成されるコンテキスト情報の例は、ＩＦＥディスプレー８０によって表示されたコンテンツの簡略化された又は変更されたバージョン（例えば、コンンテンツの文字のみを含み、映像を含まないバージョン、コンンテンツの一部のみを含むバージョン、若しくはコンンテンツの縮尺が小さくされたバージョンなど）、ＩＦＥディスプレー８０に表示されるコンテンツを変更するためにユーザーがＩＦＥディスプレー８０を制御することができる多くのショートカット又はリンクを含むナビゲーションメニューなどを含む。演算処理装置６０によって生成されるコンテキスト情報の例についての更に詳細な記載は、以下で提供される。
【０１０５】
制御装置３０のディスプレー９０は、演算処理装置６０によって生成されたコンテキスト情報を表示するようにされる。制御装置３０は、コンテキスト情報が演算処理装置６０によって生成された後に、演算処理装置６０によって生成されたコンテキスト情報をディスプレー９０に自動的に表示するように構成される。
【０１０６】
この実施形態では、ディスプレー９０は、タッチ入力を受け取る（例えば、ユーザーがディスプレー９０上でスワイプ又はページング動作、トラッキング又はドラッグ動作、シングルタップ動作、ダブルタップ動作、プレスアンドホールド動作などを行う時に）ようにされたタッチスクリーンディスプレーである。新しいコンテキスト情報は、ジャイロスコープによって検知された向きの変化又はユーザーからのディスプレー９０上でのタッチ入力のいずれかに応答して演算処理装置６０によって生成されて、タッチスクリーンディスプレー９０によって表示されることができる。例えば、ユーザーがタッチスクリーンディスプレー９０上でスワイプ又はページング動作を行った時に、ＩＦＥディスプレー８０は、一連の相互に関連したコンテンツの１つ（アルバムの１枚の写真又は画像など）から一連の相互に関連したコンテンツの次の１つへ、ＩＦＥディスプレー８０によって表示されたコンテンツを変更することができる。また、タッチスクリーンディスプレー９０に表示されたコンテキスト情報は、ユーザーがタッチスクリーンディスプレー９０にタッチしている間に変更されることもできる。例えば、タッチスクリーンディスプレー９０は、タッチスクリーンディスプレー９０での指の空間的位置に応じて、又はユーザーがタッチスクリーンディスプレー９０上でタッチスクリーンディスプレー９０に表示される部分にスワイプ又はページング動作を行った時に、タッチスクリーンディスプレー９０によって表示された部分に対応するＩＦＥディスプレー８０によって表示されたコンテンツの一部をハイライトすることができる。
【０１０７】
制御装置３０はまた、通信インターフェース２０を含む。通信インターフェース３０は、ＩＦＥディスプレー８０を制御するために又はＩＦＥディスプレー８０によって表示されるコンテンツを変えるために、制御装置３０がＩＦＥディスプレー８０と通信することを可能にする。制御装置３０は、タッチスクリーンディスプレー９０がタッチ入力を受け取ったことに応答して、ＩＦＥディスプレー８０を制御するために又はＩＦＥディスプレー８０によって表示されるコンテンツを変えるために、通信インターフェース２０を介してＩＦＥディスプレー８０と自動的に通信する。
【０１０８】
制御装置３０からＩＦＥディスプレー８０への通信は、タッチスクリーンディスプレー９０に表示されたコンテキスト情報に依存する。そして、制御装置３０の動作は、制御装置３０の向きに応じて異なる。この実施形態では、制御装置３０は、タッチスクリーンディスプレー９０が複数のリンクを含むナビゲーションメニューを表示する「クイック」モード、及びタッチスクリーンディスプレー９０がＩＦＥディスプレー８０に表示されたコンテンツの簡略化された、変更された、又はスケールダウン（縮尺が小さくされた）バージョンのいずれかを表示する「シーケンシャル」（連続）モードで動作可能である。実装に応じて、制御装置３０は、使用時に「クイック」モード又は「シーケンシャル」モードのいずれかに初期設定されることができる。２つのモードの更に詳細な記述は、以下に記載される。
【０１０９】
制御装置３０は、制御装置３０のタッチスクリーン９０でのコンテキスト情報の変化が、ＩＦＥディスプレー８０でのコンテンツの変化と実質的に同調されるようにして、リアルタイムで動作するように構成されることが理解される。
【０１１０】
制御装置３０は、タッチ入力を受け取らなくても、ジャイロスコープによる制御装置３０の向きの変化の検知に応答して、ＩＦＥディスプレー８０を制御するために又はＩＦＥディスプレー８０に表示されたコンテンツを変更するために、ＩＦＥディスプレー８０と通信するようにさらに構成されることができることが想定される。例えば、制御装置３０の向きを変えることが、ＩＦＥディスプレー８０でのナビゲーションメニューの表示を自動的にもたらすことができる。
【０１１１】
制御装置３０が追加の構成部品を含むこともまた想定される。例えば、制御装置３０は、ゲームパッドなどの追加の入力装置を含むことができる。
【０１１２】
図１Ｂは、図１Ａの制御装置の演算処理装置６０の機能ブロック図である。
【０１１３】
当業者は、演算処理装置６０は様々な方法で実装されることができることを理解する。この実施形態では、演算処理装置６０は、演算処理装置６０のメモリ６６に保存されたプログラムコード及びデータに基づいて多くのソフトウェアモジュールを実装した処理ユニットである。しかし、当業者は、そのモジュールの１つ以上が、専用のプログラマブル論理制御装置によって代わりに実装されることができることを理解する。当業者はまた、そのモジュールは制御装置３０とＩＦＥシステムとの間で分配され得ることを理解する。
【０１１４】
演算処理装置６０によって実装されるモジュールは、通信インターフェースコントローラー６３、ジャイロスコープコントローラー６３、タッチスクリーンコントローラー６８、及びコンテキスト情報生成器６９を含む。
【０１１５】
通信インターフェースコントローラー６３は、ＩＦＥシステム８０からデータ（例えば、ＩＦＥシステム８０によって表示されるコンテンツに関するデータなど）を受け取り、ＩＦＥ装置８０にデータ（ＩＦＥ装置８０を制御するコマンドなど）を送るように構成される。
【０１１６】
ジャイロスコープコントローラー６３は、ジャイロスコープ５０による制御装置３０の向きの変化の検知を受け取るように構成される。
【０１１７】
コンテキスト情報生成器６９は、ジャイロスコープ５０による制御装置３０の向きの変化の検知又は制御装置３０によるタッチ入力の受け取りに基づいて、コンテキスト情報を生成するように構成される。この点について、コンテキスト情報は、生成されるコンテキスト情報の種類に応じて様々な方法で生成され得ることが理解される。例えば、コンテキスト情報は、制御装置３０によって受け取られたＩＦＥディスプレー８０からのデータに基づいて生成されることができる。あるいは、コンテキスト情報は、メモリ６６に保存されたデータを単に抽出することによって生成されることができる。
【０１１８】
タッチスクリーンコントローラー６８は、コンテキスト情報生成器６９によって生成されたコンテキスト情報を表示又は変更するために、そしてタッチスクリーンディスプレー９０からのタッチ入力を受け取るために、タッチスクリーンディスプレー９０を制御するように構成される。
【０１１９】
図２は、本発明の方法の実施形態のフローチャートである。ステップ１１０で、制御装置３０は、ＩＦＥディスプレー８０に表示されるコンテンツに関するコンテンツデータを、通信インターフェース２０を介してＩＦＥディスプレー８０から受け取る。ステップ１２０で、制御装置３０のジャイロスコープ５０は、制御装置３０の向きの変化を検知する。ステップ１３０で、制御装置３０の演算処理装置６０は、検知された向きの変化及び通信インターフェース２０を介してＩＦＥディスプレー８０から受け取ったコンテンツデータに基づいてコンテキスト情報を生成する。ステップ１５０で、制御装置３０のタッチスクリーン９０は、演算処理装置６０によって生成されたコンテキスト情報を表示する。ステップ１６０で、制御装置３０は、タッチスクリーン９０を介してユーザーからタッチ入力を受け取る。ステップ１８０で、制御装置３０は、タッチ入力に関するデータを送るためにＩＦＥディスプレー８０とデータを通信する。ステップ１９０で、ＩＦＥディスプレー８０は、ステップ１８０での制御装置３０からの通信に基づいて新たなコンテンツを表示する。
【０１２０】
図３Ａは、他の実施形態である制御装置３００の物理的構成要素のブロック図である。図１Ａ、１Ｂの実施形態と同様に、制御装置３００もまた、ユーザーにコンテンツを表示するＩＦＥディスプレー３８０を制御するための端末コントローラーである。
【０１２１】
端末コントローラー３００は、演算処理装置３６０と、タッチスクリーンディスプレーの形態であるディスプレー３９０とを含む。タッチスクリーンディスプレー３９０は、端末コントローラー３００についてのナビゲーションモードを選択するためにタッチ入力を受け取るようにされる。この実施形態では、タッチ入力は、端末コントローラー３００のタッチスクリーンディスプレー３９０の外周上又はその近くでのユーザーによるスワイプ又はページング動作に対応する。しかし、当業者は、タッチ入力はタッチスクリーンディスプレー３９０の外周上若しくはその近くでないタッチスクリーンディスプレー３９０の部分の上にすることができること、又はスワイプ又はページング動作と異なるタッチ動作（タップ動作など）にすることができることを理解する。また、端末コントローラー３００の他の実施形態は、ジャイロスコープ（図１Ａ、１Ｂの実施形態について記載されたような）を含むこと、及び端末コントローラー３００の向きの変化によって端末コントローラー３００についてのナビゲーションモードの選択を受け取るようにさらに構成されることが想定される。
【０１２２】
演算処理装置３６０は、タッチスクリーンディスプレー３９０が端末コントローラー３００についてのナビゲーションモードの選択のためにタッチ入力を受け取ることによって、そのタッチスクリーンディスプレー３９０上でのナビゲーションモードの選択を受け取るように構成される。演算処理装置３６０はまた、ナビゲーションモードの選択の受け取りに応答して、ＩＦＥディスプレー３８０に表示されるコンテンツに関してコンテキスト情報を生成し、生成されたコンテキスト情報を端末コントローラー３００のタッチスクリーンディスプレー３９０に表示するように構成される。
【０１２３】
端末コントローラー３００はまた、ＩＦＥディスプレー３８０を制御するために又はＩＦＥディスプレー３８０によって表示されるコンテンツを変えるために、端末コントローラー３００がＩＦＥディスプレー３８０と通信することを可能にする通信インターフェース３２０を含む。端末コントローラー３００は、タッチスクリーンディスプレー３９０がタッチ入力を受け取ったことに応答して、ＩＦＥディスプレー３８０を制御するために又はＩＦＥディスプレー３８０によって表示されるコンテンツを変えるために、通信インターフェース３２０を介してＩＦＥディスプレー３８０と自動的に通信する。
【０１２４】
図３Ｂは、図３Ａの端末コントローラー３００の演算処理装置３６０の機能ブロック図である。
【０１２５】
演算処理装置３６０は、プログラムコード及び演算処理装置３６０のメモリ３６６に保存されたデータに基づく多くのモジュールを実装するように構成される。そのモジュールは、ナビゲーションモード受信機３６２、タッチスクリーンコントローラー３６８、コンテキスト情報生成器３６９、及び通信インターフェースコントローラー３６３を含む。
【０１２６】
ナビゲーションモード受信機３６２は、端末コントローラー３００のタッチスクリーンディスプレー３９０が端末コントローラー３００のタッチスクリーンディスプレー３９０の外周上又はその近くでのスワイプ又はドラッグ動作を受け取ることによって、端末コントローラー３００のためのナビゲーションモードの選択を受け取るように構成される。
【０１２７】
コンテキスト情報生成器３６９は、ナビゲーションモード受信機３６２によるナビゲーションモードの選択の受け取りに応答して、選択されたナビゲーションモードに基づいてコンテキスト情報を生成するように構成される。
【０１２８】
タッチスクリーンコントローラー３６８は、コンテキスト情報生成器３６９によって生成されたコンテキスト情報を表示するために、端末コントローラー３００のタッチスクリーンディスプレー３９０を制御するように構成される。
【０１２９】
通信インターフェースコントローラー３６３は、端末コントローラー３００の通信インターフェース３２０を介してＩＦＥ装置３０からデータ（コンテンツデータなど）を受け取り、通信インターフェース３２０を介してＩＦＥ装置３８０にデータ（コンテンツデータをリクエストするリクエストデータ、及びＩＦＥディスプレー３８０によって表示されるコンテンツを変えるためのコマンドデータなど）を送るように構成される。
【０１３０】
この実施形態では、端末コントローラー３００は、クイックナビゲーションモード及びシーケンシャルナビゲーションモードの２つのナビゲーションモードで動作可能である。しかし、端末コントローラー３００が２つより多くのナビゲーションモードで動作し得ること、及び端末コントローラー３００の演算処理装置３６０は、ナビゲーションモードを選択するためのユーザーからのタッチ入力に応じて、様々なモードを切り換えるように構成されることができることが想定される。例えば、端末コントローラー３００は第１のナビゲーションモードで動作している間に、タッチスクリーンディスプレー３９０の第１の外周でのタッチ入力は、端末コントローラー３００に第２のナビゲーションモードへの切り換えをもたらすことができるが、第１の外周と同じでないタッチスクリーンディスプレー３９０の第２の外周でのタッチ入力は、端末コントローラー３００に第３のナビゲーションモードへの切り換えをもたらすことができる
【０１３１】
図４は、本発明の方法の実施形態のフローチャートである。ステップ２２０で、端末コントローラー３００のタッチスクリーンディスプレー３９０は、タッチスクリーンディスプレー３９０の外周上又はその近くでのスワイプ又はドラッグ動作に対応してタッチ入力を受け取る。タッチスクリーンディスプレー３９０がタッチ入力を受け取ることによって、端末コントローラー３００の演算処理装置３００によって実装されたナビゲーションモード受信機３６２は、端末コントローラー３００についてのナビゲーションモードの選択を受け取る。ステップ２４０で、端末コントローラー３００の演算処理装置３６０によって実装された通信インターフェースコントローラー３６３は、端末コントローラー３００の通信インターフェース３２０を介してＩＦＥディスプレー３８０にコンテンツデータについてのリクエストを送信した後に、通信インターフェース３２０を介してＩＦＥディスプレー３８０からコンテンツデータを受け取る。ステップ２６０で、端末コントローラー３００の演算処理装置３６０によって実装されたコンテキスト情報生成器３６９は、ＩＦＥディスプレー３８０から受け取ったコンテンツデータ及び選択されたナビゲーションモードに基づいてコンテキスト情報を生成する。ステップ２８０で、端末コントローラー３００の演算処理装置３６０によって実装されたタッチスクリーンコントローラー３６８は、コンテキスト情報生成器３６９によって生成されたコンテキスト情報を表示するために、タッチスクリーンディスプレー３９０を制御する。
【０１３２】
図９Ａは、更に別の実施形態である制御装置６００の物理的構成要素のブロック図である。図１Ａ、１Ｂ、３Ａ、３Ｂの実施形態と同様に、制御装置６００もまた、ユーザーにコンテンツを表示するＩＦＥディスプレー６８０を制御するための端末コントローラーである。制御装置６００は、動作検知器６３０とデータ通信する。しかし、制御装置６００の他の実施形態は、動作検知器とデータ通信しないことが想定される。動作検知器６３０は赤外線センサーである。しかし、当業者は、動作検知器６３０は赤外線センサーでなくてもよいことを理解する。例えば、動作検知器６３０は、代わりにマイクロ波センサー又は超音波検知器にすることができる。
【０１３３】
端末コントローラー６００は、ＩＦＥディスプレー６８０及び動作検知器６３０と通信するための通信インターフェース６２０を含み、例えば、ＩＦＥディスプレー６８０に表示されるコンテンツを変えるためにＩＦＥディスプレー６８０にデータを出力し、動作検知器６３０によって検知された動作を表すデータを動作検知器６３０から受け取る。
【０１３４】
端末コントローラー６００はまた、タッチスクリーンディスプレー６９０と、タッチスクリーンディスプレー６９０及び通信インターフェース６２０を制御するための演算処理装置６６０とを含む。タッチスクリーンディスプレー６９０は、ＩＦＥディスプレー６８０及び／又は端末コントローラー６００を制御するためのタッチ入力に反応する。例えば、端末コントローラー６００のユーザーは、タッチスクリーンディスプレー６９０にタッチ又は接触することによって、ＩＦＥディスプレー６８０に表示されるコンテンツ及び／又はタッチスクリーンディスプレー６９０に表示されるコンテンツを変えることができる。図１Ａ、１Ｂ、３Ａ、３Ｂの実施形態に関して上述したように、タッチ入力は、スワイプ、タップ又はドラッグ動作であり得る。
【０１３５】
端末コントローラー６００は、タッチパッドモード及びトラックパッドモードの少なくとも２つのナビゲーションモードで動作可能である。タッチパッドモードでは、端末コントローラー６００のタッチスクリーンディスプレー６９０は、タッチ入力に応答し、ＩＦＥディスプレー６８０を制御することを容易にする情報を表示する。トラックパッドモードでは、端末コントローラー６００のタッチスクリーンディスプレー６９０は、タッチ入力に反応するが、ＩＦＥディスプレー６８０を制御することを容易にする情報を表示できないようにされる。実装に応じて、タッチスクリーンディスプレー６９０は、タッチスクリーンディスプレー６９０がＩＦＥディスプレー６８０を制御することを容易にする情報だけを又はいずれかの情報を表示することができないようにすることによって、機能を無効にされることができる。当業者は、タッチスクリーンディスプレー６９０が情報を表示しないようにされることは、実際には空白画像を表示するようにタッチスクリーンディスプレー６９０を制御すること、又は単にタッチスクリーン６９０での表示を更新しないことと同じであると理解する。
【０１３６】
この実施形態では、端末コントローラー６００がタッチパッドモードで動作している時に、ＩＦＥディスプレー６８０に表示されるコンテンツのスケールダウンバージョンがタッチスクリーンディスプレー６９０に表示される。タッチスクリーンディスプレー６９０での動作が、ＩＦＥディスプレー６８０に反映される。例えば、タッチスクリーンディスプレー６９０での左へのスワイプ動作は、タッチスクリーンディスプレー６９０及びＩＦＥディスプレー６８０の両方でのコンテンツを変える。他の実施形態では、ＩＦＥディスプレー６８０に表示されるコンテンツのスケールダウンバージョンに加えて、ＩＦＥディスプレー６８０に表示されるコンテンツに対応するコンテキスト情報が、タッチスクリーンディスプレー６９０に表示される。
【０１３７】
端末コントローラー６００の他の実施形態では、２つより多くのナビゲーションモードで動作可能であることが想定される。例えば、端末コントローラー６００の他の実施形態は更に、タッチスクリーンディスプレー６９０がＩＦＥディスプレー６８０を制御することを容易にする情報を表示するが、タッチ入力を受け取る機能を有しない（実際にはタッチスクリーンディスプレー６９０に与えられるタッチ入力を無視する）表示モードで動作可能である。別の例では、端末コントローラー６００の他の実施形態は、更に図３Ａ、３Ｂでの実施形態に関して記載されたクイックナビゲーションモード又はシーケンシャルナビゲーションモードで動作することができる。
【０１３８】
また、端末コントローラー６００の他の実施形態は、端末コントローラー６００がタッチパッドモードからトラックパッドモードに変わる時に、端末コントローラー６００が使用されるべき方法を変更可能であることが想定される。例えば、他の実施形態では、端末コントローラー６００がタッチパッドモードからトラックパッドモードに変わる時に、インジケーター（マウスポインターのような）がＩＦＥディスプレー６８０に表示されることができる。そのような他の実施形態では、端末コントローラー６００のタッチスクリーン６９０は、従来のトラックパッドのようにインジケーターをただ動かすことができる。
【０１３９】
図９Ｂは、図９Ａの端末コントローラー６００の演算処理装置６６０の機能ブロック図である。演算処理装置６６０は、プログラムコード及び演算処理装置３６０のメモリ３６６に保存されたデータに基づいて多くのモジュールを実装するように構成される。そのモジュールは、ナビゲーションモード受信機６６２、タッチスクリーンコントローラー６６８、コンテキスト情報生成器６６９、及び通信インターフェースコントローラー６６３を含む。
【０１４０】
ナビゲーションモード受信機６６２は、端末コントローラー６００のタッチスクリーンディスプレー６９０で提供されるナビゲーションモードを選択するためのタッチ入力によって、端末コントローラー６００のためのナビゲーションモードの選択を受け取るように構成される。ナビゲーションモードを選択するためのタッチ入力は、タッチスクリーンディスプレー６９０に表示されたナビゲーションメニューの一部でのタップ動作である。しかし、タッチ入力は、タッチスクリーンディスプレー６９０に表示されたナビゲーションメニューの一部でのタップ動作でないことも想定される。例えば、他の実施形態では、ナビゲーションモードを選択するためのタッチ入力は、代わりに端末コントローラー６００のタッチスクリーンディスプレー６９０の特定された部分でのスワイプ又はドラッグ動作であってもよい。他の実施形態では、ナビゲーションモードの選択は、タッチスクリーンディスプレー６９０によって受け取られないことも想定される。例えば、選択は、端末コントローラー６００の他の実施形態では、赤外線センサーによる手の動きの検知によって、又はＩＦＥディスプレーがタッチスクリーンディスプレーである実施形態では、ＩＦＥディスプレーに与えられるタッチ入力によって受け取られることもできる。
【０１４１】
コンテキスト情報生成器６６９は、端末コントローラー６００がタッチパッドモードで作動している時に、コンテキスト情報を生成するように構成される。図１Ａ、１Ｂ、３Ａ、３Ｂの実施形態と同様に、ＩＦＥディスプレー６８０でのコンテンツに関するコンテキストデータに基づいてコンテキスト情報は生成されることができる。端末コントローラー６００が、異なるタッチパッドモード（例えば、上述されたクイックナビゲーションモード及びシーケンシャルナビゲーションモード）で動作するようにされる実施形態では、コンテキスト情報は、どちらのナビゲーションモードで端末コントローラー６００が作動しているかに依存して、生成されることができる。
【０１４２】
タッチスクリーンコントローラー６６８は、端末コントローラー３００のタッチスクリーンディスプレー６９０を制御するように構成され、端末コントローラー６００がタッチパッドモードで作動している時にコンテキスト情報生成器６６９によって生成されたコンテキスト情報を表示し、さらに端末コントローラー６００がトラックパッドモードで作動している時にタッチスクリーンディスプレー６９０が情報を表示しないようにタッチスクリーンディスプレー６９０を制御する。
【０１４３】
通信インターフェースコントローラー６６３は、通信インターフェース６２０を介してＩＦＥディスプレー６８０からデータを受け取り、そして通信インターフェース６２０を介してＩＦＥディスプレー６８０にデータを送るように構成される。具体的には、通信インターフェースコントローラー６６３は、ＩＦＥディスプレー６８０からデータ（例えば、ＩＦＥディスプレー６８０によって表示されるコンテンツに関するデータなど）を受け取り、そしてＩＦＥディスプレー６８０にデータ（例えば、ＩＦＥディスプレー６８０を制御するためのコマンドなど）を送る。
【０１４４】
図１０は、本発明の方法の実施形態のフローチャートである。ステップ５００で、端末６００は、タッチパッドモードで作動し、端末６００の通信インターフェース６２０を介してＩＦＥディスプレー６８０からＩＦＥディスプレー６８０に表示されるコンテンツに関するコンテンツデータを受け取る。ステップ５１０で、演算処理装置６６０によって実装されたコンテキスト情報生成器６６９は、ＩＦＥディスプレー６８０から受け取ったコンテンツデータに基づくコンテキスト情報を生成する。ステップ５２０で、演算処理装置６６０によって実装されたタッチスクリーンコントローラー６６８は、コンテキスト情報生成器６６９によって生成されたコンテキスト情報を表示するために、端末６００のタッチスクリーン６９０を制御する。
【０１４５】
ステップ５３０で、端末６００は、端末６００のユーザーによってタッチスクリーン６９０に与えられるタッチ入力の形でユーザーの入力を受け取る。上述のように、ユーザーの入力は、代わりに赤外線センサー６３０での動作の検知によって受け取られてもよい。ステップ５４０で、演算処理装置６６０によって実装された通信インターフェースコントローラー６６３は、ＩＦＥディスプレー６８０にタッチ入力に関するデータを送るために通信インターフェース６２０を制御し、コンテキスト情報生成器６６９は、タッチ入力に基づいて新たなコンテキスト情報を生成する。ステップ５５０で、ＩＦＥディスプレー６８０は、端末６００から送られたデータに基づいて新たなコンテンツを表示し、タッチスクリーンディスプレー６９０は、コンテキスト情報生成器６６９によって生成された新たなコンテキスト情報を表示する。
【０１４６】
ステップ５６０で、端末６００は、端末６００についてのトラックパッドモードの選択に対応する別のタッチ入力を受け取る。ステップ５７０で、ナビゲーションモードコントローラー６６２は、タッチスクリーン６９０がコンテキスト情報を表示しないようにタッチスクリーンを制御する。
【０１４７】
ステップ５８０で、端末６００は、端末６００のユーザーによってタッチスクリーン６９０に与えられる更に別のタッチ入力を受け取る。ステップ５４０で、演算処理装置６６０によって実装された通信インターフェースコントローラー６６３は、ＩＦＥディスプレー６８０にタッチ入力に関するデータを送るために通信インターフェース６２０を制御し、ＩＦＥディスプレー６８０は、端末６００から送られたデータに基づいて新たなコンテンツを表示する。
【０１４８】
図５Ａは、制御装置３０が「シーケンシャル」モードで作動している時に、制御装置３０のタッチスクリーンディスプレー９０によって表示されるコンテキスト情報の例を説明する概略図である。この例では、端末３０は、端末３０が水平方向である時に「シーケンシャル」モードで作動する。図に示すように、ＩＦＥディスプレー８０はコンテンツ８２０を表示し、端末３０は、コンテンツ８２０に関するコンテキスト情報９２０を、端末３０のタッチスクリーン９０に表示している。コンテンツ８２０は、一連の相互に関連したコンテンツ８１０、８２０、８３０の１つである。ユーザーが端末３０のタッチスクリーン９０上で右から左へページング又はスワイプ動作を行うと、ＩＦＥディスプレー８０は、コンテンツ８２０からコンテンツ８３０に変わる。ユーザーが端末３０のタッチスクリーン９０上で左から右へページング又はスワイプ動作を行うと、ＩＦＥディスプレー８０は、コンテンツ８２０からコンテンツ８１０に変わる。タッチスクリーンディスプレー９０に表示されるコンテキスト情報９２０は、ＩＦＥディスプレー８０に表示されるコンテンツの変更に従って変わる。この場合、タッチスクリーンディスプレー９０に表示されるコンテキスト情報９２０は、拡張可能なメニューアイコン９５０を含む。
【０１４９】
図５Ｂは、制御装置３０が「クイック」モードで作動している時に、制御装置３０のタッチスクリーンディスプレー９０によって表示されるコンテキスト情報の例を説明する概略図である。この例では、端末３０は、端末３０が垂直方向である時に「クイック」モードで作動する。図に示すように、タッチスクリーン９０に表示されるコンテキスト情報は、複数のリンク（「Ａ」、「Ｂ」、「Ｃ」、「Ｄ」、「Ｅ」及び「Ｆ」）を含むナビゲーションメニュー（「グローバルメニュー」）である。
【０１５０】
図６Ａ〜６Ｈは、制御装置３０がユーザーによって使用されていて、制御装置３０が「シーケンシャル」モードで作動している時に、制御装置３０のタッチスクリーン９０に表示される一連のコンテキスト情報９２０及びＩＦＥディスプレー８０に表示されるコンテンツ８２０を説明する画面の実物大表示である。
【０１５１】
図６Ａでは、コンテキスト情報９２０は、ＩＦＥディスプレー８０に表示されるコンテンツ８２０の簡略化されたバージョンであり、制御装置３０のタッチスクリーンディスプレー９０に表示される。この例では、タッチスクリーンディスプレー９０に表示されるコンテキスト情報９２０は、拡張可能なアイコンメニューを含む。図は、コンテンツ８２０に関するデータ（「コンテンツデータ」）が制御装置３０によって受け取られ、ＩＦＥディスプレー８０での表示を制御するためにＩＦＥディスプレー８０を制御するためのデータ（「コマンドデータ」）がＩＦＥディスプレー８０に送られることを示す。
【０１５２】
図６Ｂは、ＩＦＥディスプレー８０でのコンテンツ８２０は、ユーザーがタッチスクリーンディスプレー９０上のコンテキスト情報９２０の一部にドラッグ及びストップ動作を行った後に、ハイライトされた部分を示すために変更されることができることを示す。ドラッグ及びストップ動作は、トラッキング又はドラッグ動作である。ＩＦＥディスプレー８０でのコンテンツ８２０を変化させる別の選択肢は、タッチスクリーンディスプレー９０上でスワイプ動作を用いることである。
【０１５３】
図６Ｃは、ユーザーがタッチスクリーンディスプレー９０をタップすることによって映画を選択した後のコンテキスト情報９２０及びコンテンツ８２０を示す。
【０１５４】
図６Ｄは、ユーザーがタッチスクリーンディスプレー９０上で右から左へのスワイプ動作を行った後に、コンテキスト情報９２０が、「現在再生中」のメニューに変更されることを示す。
【０１５５】
図６Ｅは、ユーザーがタッチスクリーンディスプレー９０上で次の右から左へのスワイプ動作を行った後に、コンテキスト情報９２０が、「現在再生中」のメニューから「フライト情報」のメニューに変更されることを示す。
【０１５６】
図６Ｆは、ユーザーがタッチスクリーンディスプレー９０上で次の右から左へのスワイプ動作を行った後に、コンテキスト情報９２０が、「フライト情報」のメニューから「通知」のメニューに変更されることを示す。
【０１５７】
図６Ｇは、ユーザーがタッチスクリーンディスプレー９０上で次の右から左へのスワイプ動作を行った後に、コンテキスト情報９２０が、「通知」のメニューから「計器盤」のメニューに変更されることを示す。
【０１５８】
図６Ｈは、コンテキスト情報９２０が「計器盤」のメニューの間に、映画８２０を中断するためにユーザーがタッチスクリーンディスプレー９０をタップした後に、映画の再生が停止することを示す。
【０１５９】
図７Ａ〜５Ｃは、制御装置３０がユーザーによって使用されていて、制御装置３０が「シーケンシャル」モードで作動している時における、別の一連のコンテキスト情報９２０及びコンテンツ８２０を説明する画面の実物大表示である。
【０１６０】
図７Ａは、ユーザーがタッチスクリーンディスプレー９０にタッチする前のコンテンツ８２０を示す。
【０１６１】
図７Ｂは、ユーザーがタッチスクリーンディスプレー９０にタッチした後に、コンテンツ８２０が追加の選択（テイク２シェイクスピア、ファインダーズキーパーズ、ゴーインググローバル）を含めるために変わることを示す。
【０１６２】
図７Ｃは、ユーザーがタッチスクリーンディスプレー９０で右から左へのスワイプ動作を行った後のコンテンツ８２０を示す。
【０１６３】
図８Ａ〜６Ｅは、制御装置３０がユーザーによって使用されていて、制御装置３０が「クイック」モードで作動している時における、一連のコンテキスト情報９２０及びコンテンツ８２０を説明する画面の実物大表示である。
【０１６４】
図８Ａは、ユーザーがタッチスクリーンディスプレー９０にタッチする前にコンテキスト情報９２０がナビゲーションメニューであることを示す。
【０１６５】
図８Ｂは、ユーザーがタッチスクリーンディスプレー９０上の一部にタッチした後に、コンテキスト情報９２０の一部（時計）がハイライトされることを示す。
【０１６６】
図８Ｃは、ユーザーがタッチスクリーンディスプレー９０上の一部にタッチした後に、コンテキスト情報９２０が二次メニュー（コレクション、映画、ＴＶ）を含めるために変わることを示す。図はまた、コンテンツ８２０がコンテキスト情報９２０の変化と同調して更新されることを示す。
【０１６７】
図８Ｄは、ユーザーがタッチスクリーンディスプレー９０の一部にタッチした後に、コンテキスト情報９２０の二次メニューの一部（映画）がハイライトされることを示す。図はまた、コンテンツ８２０がコンテキスト情報９２０の変化と同調して更新されることを示す。
【０１６８】
図８Ｅは、ユーザーが上から下へのスワイプ動作に続いてタッチスクリーンディスプレー９０の一部（ゲーリー）でタップ動作を行った後のコンテキスト情報９２０を示す。
【０１６９】
本発明の趣旨及び範囲を逸脱することなく多くの変更がなされ得ることは、本発明の当業者には理解される。特に、本発明の実施形態の特定の特徴が更なる実施形態を形成するために用いられることができることは、明らかである。
【０１７０】
一般的用語において、主装置が補助装置と比較して情報（すわなわち、コンテンツ）の主要供給源を示すので、例として、「表示」装置及び「制御」装置が、それぞれ「主」装置及び「補助」装置として記載されることがある。
【０１７１】
先行技術に対するいずれの言及も、オーストラリア又はいずれかの他の国において、その先行技術が当分野における周知の一般知識を形成すること若しくは形成したことを認めるものではないことが理解される。
【０１７２】
これに続く特許請求の範囲及び前述の本発明についての記載において、言葉での表現及び必然的な暗示に起因して文脈上他の意味に解すべき場合を除き、用語「含む」及び「含み」、「含める」などの変形は、包含的な意味で使用される。すなわち、本発明の種々の実施形態において言及された特徴の存在を特定するが、更なる特徴の存在又は追加を除外しない。
【図１Ａ】
2015525927.tif 000003
【図１Ｂ】
2015525927.tif 000004
【図２】
2015525927.tif 000005
【図３Ａ】
2015525927.tif 000006
【図３Ｂ】
2015525927.tif 000007
【図４】
2015525927.tif 000008
【図５Ａ】
2015525927.tif 000009
【図５Ｂ】
2015525927.tif 000010
【図６Ａ】
2015525927.tif 000011
【図６Ｂ】
2015525927.tif 000012
【図６Ｃ】
2015525927.tif 000013
【図６Ｄ】
2015525927.tif 000014
【図６Ｅ】
2015525927.tif 000015
【図６Ｆ】
2015525927.tif 000016
【図６Ｇ】
2015525927.tif 000017
【図６Ｈ】
2015525927.tif 000018
【図７Ａ】
2015525927.tif 000019
【図７Ｂ】
2015525927.tif 000020
【図７Ｃ】
2015525927.tif 000021
【図８Ａ】
2015525927.tif 000022
【図８Ｂ】
2015525927.tif 000023
【図８Ｃ】
2015525927.tif 000024
【図８Ｄ】
2015525927.tif 000025
【図８Ｅ】
2015525927.tif 000026
【図９Ａ】
2015525927.tif 000027
【図９Ｂ】
2015525927.tif 000028
【図１０】
2015525927.tif 000029
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
複数の向きで動作可能な制御装置（３０）を使用して、様々なコンテンツを表示する機内娯楽システムの表示装置（８０）を制御する方法であって、
前記制御装置（３０）の向きの変化を検知することと、
前記制御装置（３０）の前記向きの変化の検知に応答して、前記機内娯楽システムの前記表示装置（８０）によって表示されるコンテンツ（８１０、８２０、８３０）に関するナビゲーションメニュー（９２０）を前記制御装置（３０）の演算処理装置（６０）で生成することと、
前記機内娯楽システムの前記表示装置（８０）を制御することを容易にするために、前記演算処理装置（６０）によって生成された前記ナビゲーションメニュー（９２０）を前記制御装置（３０）のディスプレー（９０）に表示することと、
を含み、前記ナビゲーションメニュー（９２０）は、前記機内娯楽システムの前記表示装置（８０）によって表示される前記コンテンツ（８１０、８２０、８３０）を変えるための多くのショートカット又はリンクを含む、方法。
【請求項２】
前記ナビゲーションメニュー（９２０）は、前記機内娯楽システムの前記表示装置（８０）によって表示される前記コンテンツ（８１０、８２０、８３０）を変えるための複数のショートカット又はリンクを含む、請求項１に記載の方法。
【請求項３】
前記ナビゲーションメニュー（９２０）は、前記機内娯楽システムの前記表示装置（８０）によって表示される前記コンテンツ（８１０、８２０、８３０）の一部を含む、請求項１又は２に記載の方法。
【請求項４】
前記ナビゲーションメニュー（９２０）は、前記制御装置（３０）によって受け取られたデータに基づいて生成される、請求項１〜３のいずれかに記載の方法。
【請求項５】
前記ナビゲーションメニュー（９２０）は、ビデオ、オーディオ、又はビデオ及びオーディオの制御メニューを含む、請求項１〜４のいずれかに記載の方法。
【請求項６】
前記機内娯楽システムの前記表示装置（８０）に表示される前記コンテンツ（８１０、８２０、８３０）を制御するために前記制御装置（３０）を制御することを含む、請求項１〜５のいずれかに記載の方法。
【請求項７】
前記制御装置（３０）を制御するステップは、前記機内娯楽システムの前記表示装置（８０）に表示される前記コンテンツ（８１０、８２０、８３０）を変えることを含む、請求項６に記載の方法。
【請求項８】
前記機内娯楽システムの前記表示装置（８０）によって表示される新たなコンテンツ（８１０、８２０、８３０）に関する新たなナビゲーションメニュー（９２０）を生成することと、前記新たなコンテンツ（８１０、８２０、８３０）に関する前記新たなナビゲーションメニュー（９２０）を前記制御装置（３０）の前記ディスプレー（９０）に表示することとを含む、請求項７に記載の方法。
【請求項９】
前記制御装置のディスプレー（９０）は、タッチ入力に反応するタッチスクリーンディスプレーであり、前記制御装置（３０）を制御するステップは、前記機内娯楽システムの前記表示装置（８０）を制御するために前記タッチスクリーンディスプレーに前記タッチ入力を与えることを含む、請求項６〜８のいずれかに記載の方法。
【請求項１０】
前記タッチ入力は、ユーザーによる前記タッチスクリーンディスプレー上でのスワイプ又はページング動作を含む、請求項９に記載の方法。
【請求項１１】
前記タッチ入力は、ユーザーによる前記タッチスクリーンディスプレー上でのシングルタッチ動作を含む、請求項９に記載の方法。
【請求項１２】
前記表示装置に表示される前記コンテンツ（８１０、８２０、８３０）を変えることなく、前記制御装置のディスプレー（９０）に表示される前記ナビゲーションメニュー（９２０）を制御するために前記制御装置（３０）を制御することを含む、請求項１〜１１のいずれかに記載の方法。
【請求項１３】
前記制御装置のディスプレー（９０）は、タッチ入力に反応するタッチスクリーンディスプレーであり、前記制御装置（３０）を制御するステップは、前記タッチスクリーンディスプレーに前記タッチ入力を与えることを含む、請求項１２に記載の方法。
【請求項１４】
前記機内娯楽システムの前記表示装置（８０）は、前記コンテンツ（８１０、８２０、８３０）を表示するためのタッチスクリーンディスプレーを含む、請求項１〜１３のいずれかに記載の方法。
【請求項１５】
前記向きの変化は向き検知装置（５０）によって検知され、該向き検知装置（５０）はジャイロスコープである、請求項１〜１４のいずれかに記載の方法。
【請求項１６】
様々なコンテンツを表示する機内娯楽システムの表示装置（８０）を制御するための制御装置（３０）であって、該制御装置（３０）は、複数の向きで動作可能であるとともに、
前記制御装置（３０）の向きの変化を検知するようにされた向き検知装置（５０）と、
前記向き検知装置（５０）による前記向きの変化の検知に応答して前記機内娯楽システムの前記表示装置（８０）に表示されるコンテンツ（８１０、８２０、８３０）に関するナビゲーションメニュー（９２０）を生成するように構成された演算処理装置（６０）と、
前記機内娯楽システムの前記表示装置（８０）を制御することを容易にするために、前記演算処理装置（６０）によって生成された前記ナビゲーションメニュー（９２０）を表示するための制御装置のディスプレー（９０）と、
を含み、前記ナビゲーションメニュー（９２０）は、前記機内娯楽システムの前記表示装置（８０）によって表示される前記コンテンツ（８１０、８２０、８３０）を変えるための多くのショートカット又はリンクを含む、制御装置（３０）。
【請求項１７】
前記ナビゲーションメニュー（９２０）は、前記機内娯楽システムの前記表示装置（８０）によって表示される前記コンテンツ（８１０、８２０、８３０）を変えるための複数のショートカット又はリンクを含む、請求項１６に記載の制御装置（３０）。
【請求項１８】
前記ナビゲーションメニュー（９２０）は、前記機内娯楽システムの前記表示装置（８０）によって表示される前記コンテンツ（８１０、８２０、８３０）の一部を含む、請求項１６又は１７に記載の制御装置（３０）。
【請求項１９】
前記ナビゲーションメニュー（９２０）は、前記制御装置（３０）によって受け取られたデータに基づいて生成される、請求項１６〜１８のいずれかに記載の制御装置（３０）。
【請求項２０】
前記ナビゲーションメニュー（９２０）は、ビデオ、オーディオ、又はビデオ及びオーディオの制御メニューを含む、請求項１６〜１９のいずれかに記載の制御装置（３０）。
【請求項２１】
前記制御装置（３０）は、前記機内娯楽システムの前記表示装置（８０）に表示される前記コンテンツ（８１０、８２０、８３０）を制御するようにされる、請求項１６〜２０のいずれかに記載の制御装置（３０）。
【請求項２２】
前記制御装置（３０）は、前記機内娯楽システムの前記表示装置（８０）に表示される前記コンテンツ（８１０、８２０、８３０）を変えることによって、前記機内娯楽システムの前記表示装置（８０）に表示される前記コンテンツ（８１０、８２０、８３０）を制御する、請求項２１に記載の制御装置（３０）。
【請求項２３】
前記制御装置（３０）は、前記機内娯楽システムの前記表示装置（８０）によって表示される新たなコンテンツ（８１０、８２０、８３０）に関する新たなナビゲーションメニュー（９２０）を生成することと、前記新たなコンテンツ（８１０、８２０、８３０）に関する前記新たなナビゲーションメニュー（９２０）を前記制御装置（３０）の前記ディスプレー（９０）に表示することとによって、前記機内娯楽システムの前記表示装置（８０）に表示される前記コンテンツ（８１０、８２０、８３０）を変える、請求項２２に記載の制御装置（３０）。
【請求項２４】
前記制御装置のディスプレー（９０）は、タッチ入力に反応するタッチスクリーンディスプレーであり、前記制御装置（３０）は、前記タッチスクリーンディスプレーへの前記タッチ入力に基づいて前記機内娯楽システムの前記表示装置（８０）に表示される前記コンテンツ（８１０、８２０、８３０）を制御する、請求項２１〜２３のいずれかに記載の制御装置（３０）。
【請求項２５】
前記タッチ入力は、ユーザーによる前記タッチスクリーンディスプレー上でのスワイプ又はページング動作を含む、請求項２４に記載の制御装置（３０）。
【請求項２６】
前記タッチ入力は、ユーザーによる前記タッチスクリーンディスプレー上でのシングルタッチ動作を含む、請求項２４に記載の制御装置（３０）。
【請求項２７】
前記制御装置（３０）は、前記表示装置に表示される前記コンテンツ（８１０、８２０、８３０）を変えることなく前記制御装置のディスプレー（９０）に表示される前記ナビゲーションメニュー（９２０）を制御するようにされる、請求項１６〜２６のいずれかに記載の制御装置（３０）。
【請求項２８】
前記制御装置のディスプレー（９０）は、タッチ入力に反応するタッチスクリーンディスプレーであり、前記制御装置（３０）は、前記タッチスクリーンディスプレーへの前記タッチ入力に基づいて前記制御装置のディスプレー（９０）に表示される前記ナビゲーションメニュー（９２０）を制御する、請求項２７に記載の制御装置（３０）。
【請求項２９】
前記機内娯楽システムの前記表示装置（８０）は、前記コンテンツ（８１０、８２０、８３０）を表示するためのタッチスクリーンディスプレーを含む、請求項１６〜２８のいずれかに記載の制御装置（３０）。
【請求項３０】
前記向き検知装置（５０）はジャイロスコープである、請求項１６〜２９のいずれかに記載の制御装置（３０）。
【請求項３１】
複数のナビゲーションモードで動作可能である制御装置（３００）を使用して、様々なコンテンツを表示する機内娯楽システムの表示装置（３８０）を制御する方法であって、
前記制御装置（３００）についての前記ナビゲーションモードの選択を受け取ることと、
前記ナビゲーションモードの前記選択の受け取りに応答して、前記機内娯楽システムの前記表示装置（３８０）によって表示される前記コンテンツに関するナビゲーションメニューを前記制御装置（３００）の演算処理装置（３６０）で生成することと、
前記機内娯楽システムの前記表示装置（３８０）を制御することを容易にするために、前記演算処理装置（３６０）によって生成された前記ナビゲーションメニューを前記制御装置（３００）のディスプレー（３９０）に表示することと、
を含み、前記ナビゲーションメニューは、前記機内娯楽システムの前記表示装置（３８０）によって表示される前記コンテンツを変えるための多くのショートカット又はリンクを含む、方法。
【請求項３２】
前記制御装置のディスプレー（３９０）は、タッチ入力に反応するタッチスクリーンディスプレーであり、前記制御装置（３００）についての前記ナビゲーションモードの前記選択を受け取るステップは、前記タッチスクリーンディスプレーに前記タッチ入力を与えることを含む、請求項３１に記載の方法。
【請求項３３】
前記タッチ入力は、前記タッチスクリーンディスプレーの外周の近くでのスワイプ、ページング又はドラッグ動作である、請求項３２に記載の方法。
【請求項３４】
前記ナビゲーションメニューは、前記機内娯楽システムの前記表示装置（３８０）によって表示される前記コンテンツを変えるための複数のショートカット又はリンクを含む、請求項３１〜３３のいずれかに記載の方法。
【請求項３５】
前記ナビゲーションメニューは、前記機内娯楽システムの前記表示装置（３８０）によって表示される前記コンテンツの一部を含む、請求項３１〜３４のいずれかに記載の方法。
【請求項３６】
前記ナビゲーションメニューは、前記制御装置（３００）によって受け取られたデータに基づいて生成される、請求項３１〜３５のいずれかに記載の方法。
【請求項３７】
前記ナビゲーションメニューは、ビデオ、オーディオ、又はビデオ及びオーディオの制御メニューを含む、請求項３１〜３６のいずれかに記載の方法。
【請求項３８】
前記機内娯楽システムの前記表示装置（３８０）に表示される前記コンテンツを制御するために、前記制御装置（３００）を制御することを含む、請求項３１〜３７のいずれかに記載の方法。
【請求項３９】
前記制御装置（３００）を制御するステップは、前記機内娯楽システムの前記表示装置（３８０）に表示される前記コンテンツを変えることを含む、請求項３８に記載の方法。
【請求項４０】
前記機内娯楽システムの前記表示装置（３８０）によって表示される新たなコンテンツに関するコンテキスト情報を生成することと、前記新たなコンテンツに関する前記コンテキスト情報を前記制御装置（３００）の前記ディスプレー（３９０）に表示することとを含む、請求項３９に記載の方法。
【請求項４１】
前記制御装置のディスプレー（３９０）は、タッチ入力に反応するタッチスクリーンディスプレーであり、前記制御装置（３００）を制御するステップは、前記機内娯楽システムの前記表示装置（３８０）を制御するために前記タッチスクリーンディスプレーに前記タッチ入力を与えることを含む、請求項３８〜４０のいずれかに記載の方法。
【請求項４２】
前記タッチ入力は、ユーザーによる前記タッチスクリーンディスプレー上でのスワイプ、ページング又はドラッグ動作を含む、請求項４１に記載の方法。
【請求項４３】
前記タッチ入力は、ユーザーによる前記タッチスクリーンディスプレー上でのシングルタッチ動作を含む、請求項４１に記載の方法。
【請求項４４】
前記表示装置に表示される前記コンテンツを変えることなく、前記制御装置のディスプレー（３９０）に表示される前記コンテキスト情報を制御するために前記制御装置（３００）を制御することを含む、請求項３１〜４２のいずれかに記載の方法。
【請求項４５】
前記制御装置のディスプレー（３９０）は、タッチ入力に反応するタッチスクリーンディスプレーであり、前記制御装置（３００）を制御するステップは、前記タッチスクリーンディスプレーに前記タッチ入力を与えることを含む、請求項４４に記載の方法。
【請求項４６】
前記機内娯楽システムの前記表示装置（３８０）は、前記コンテンツを表示するためのタッチスクリーンディスプレーを含む、請求項３１〜４５のいずれかに記載の方法。
【請求項４７】
様々なコンテンツを表示する機内娯楽システムの表示装置（３８０）を制御するための制御装置（３００）であって、該制御装置（３０）は、複数のナビゲーションモードで動作可能であるとともに、
前記制御装置（３００）についての前記ナビゲーションモードの選択を受け取り、前記ナビゲーションモードの前記選択の受け取りに応答して、前記機内娯楽システムの前記表示装置（３８０）によって表示される前記コンテンツに関するナビゲーションメニューを生成するように構成された演算処理装置（３６０）と、
前記機内娯楽システムの前記表示装置（３８０）を制御することを容易にするために、前記演算処理装置（３６０）によって生成された前記ナビゲーションメニューを表示するための制御装置のディスプレー（３９０）と、
を含み、前記ナビゲーションメニューは、前記機内娯楽システムの前記表示装置（３８０）によって表示される前記コンテンツを変えるための多くのショートカット又はリンクを含む、制御装置（３００）。
【請求項４８】
前記制御装置のディスプレー（３９０）は、タッチ入力に反応するタッチスクリーンディスプレーであり、前記演算処理装置（３６０）は、前記タッチスクリーンディスプレーに与えられる前記タッチ入力により前記ナビゲーションモードの前記選択を受け取る、請求項４７に記載の制御装置（３００）。
【請求項４９】
前記タッチ入力は、前記タッチスクリーンディスプレーの外周の近くでのスワイプ、ページング又はドラッグ動作である、請求項４８に記載の制御装置（３００）。
【請求項５０】
前記ナビゲーションメニューは、前記機内娯楽システムの前記表示装置（３８０）によって表示される前記コンテンツを変えるための複数のショートカット又はリンクを含む、請求項４７〜４９のいずれかに記載の制御装置（３００）。
【請求項５１】
前記ナビゲーションメニューは、前記機内娯楽システムの前記表示装置（３８０）によって表示される前記コンテンツの一部を含む、請求項４７〜５０のいずれかに記載の制御装置（３００）。
【請求項５２】
前記ナビゲーションメニューは、前記制御装置（３００）によって受け取られたデータに基づいて生成される、請求項４７〜５１のいずれかに記載の制御装置（３００）。
【請求項５３】
前記ナビゲーションメニューは、ビデオ、オーディオ、又はビデオ及びオーディオの制御メニューを含む、請求項４７〜５２のいずれかに記載の制御装置（３００）。
【請求項５４】
前記制御装置（３００）は、前記機内娯楽システムの前記表示装置（３８０）に表示される前記コンテンツを制御するようにされる、請求項４７〜５３のいずれかに記載の制御装置（３００）。
【請求項５５】
前記制御装置（３００）は、前記機内娯楽システムの前記表示装置（３８０）に表示される前記コンテンツを変えることによって、前記機内娯楽システムの前記表示装置（３８０）に表示される前記コンテンツを制御する、請求項５４に記載の制御装置（３００）。
【請求項５６】
前記制御装置（３００）は、前記機内娯楽システムの前記表示装置（３８０）によって表示される新たなコンテンツに関するコンテキスト情報を生成することと、前記新たなコンテンツに関する前記コンテキスト情報を前記制御装置（３００）の前記ディスプレー（３９０）に表示することとによって、前記機内娯楽システムの前記表示装置（３８０）に表示される前記コンテンツを変える、請求項５５に記載の制御装置（３００）。
【請求項５７】
前記制御装置のディスプレー（３９０）はタッチスクリーンディスプレーであり、前記制御装置（３００）は、前記タッチスクリーンディスプレーへのタッチ入力に基づいて前記機内娯楽システムの前記表示装置（３８０）に表示される前記コンテンツを制御する、請求項５４〜５６のいずれかに記載の制御装置（３００）。
【請求項５８】
前記タッチ入力は、ユーザーによる前記タッチスクリーンディスプレー上でのスワイプ、ページング又はドラッグ動作を含む、請求項５７に記載の制御装置（３００）。
【請求項５９】
前記タッチ入力は、ユーザーによる前記タッチスクリーンディスプレー上でのシングルタッチ動作を含む、請求項５７に記載の制御装置（３００）。
【請求項６０】
前記制御装置（３００）は、前記表示装置に表示される前記コンテンツを変えることなく前記制御装置のディスプレー（３９０）に表示される前記ナビゲーションメニューを制御するようにされる、請求項４７〜５９のいずれかに記載の制御装置（３００）。
【請求項６１】
前記制御装置のディスプレー（３９０）は、タッチ入力に反応するタッチスクリーンディスプレーであり、前記制御装置（３００）は、前記タッチスクリーンディスプレーへの前記タッチ入力に基づいて前記制御装置のディスプレー（３９０）に表示される前記ナビゲーションメニューを制御する、請求項６０に記載の制御装置（３００）。
【請求項６２】
前記機内娯楽システムの前記表示装置（３８０）は、前記コンテンツを表示するためのタッチスクリーンディスプレーを含む、請求項４７〜６１のいずれかに記載の制御装置（３００）。
【請求項６３】
複数のナビゲーションモードで動作可能である制御装置（６００）を使用して、様々なコンテンツを表示する機内娯楽システムの表示装置（６８０）を制御する方法であって、
前記制御装置（６００）についての前記ナビゲーションモードの選択を受け取ることと、ここで前記ナビゲーションモードは、（ａ）前記制御装置（６００）のディスプレー（６９０）が、前記機内娯楽システムの前記表示装置（６８０）によって表示される前記コンテンツを変えるための多くのショートカット又はリンクを含むナビゲーションメニューを表示する第１のナビゲーションモード、又は（ｂ）前記制御装置のディスプレー（６９０）が、前記機内娯楽システムの前記表示装置（６８０）によって表示される前記コンテンツを変えるための多くのショートカット又はリンクを含む前記ナビゲーションメニューを表示しない第２のナビゲーションモードであり、
前記第１のナビゲーションモードの選択の受け取りに応答して、前記機内娯楽システムの前記表示装置（６８０）によって表示される前記コンテンツを変えるための多くのショートカット又はリンクを含む前記ナビゲーションメニューを前記制御装置のディスプレー（６９０）上に表示するため、又は前記第２のナビゲーションモードの選択の受け取りに応答して、前記機内娯楽システムの前記表示装置（６８０）によって表示される前記コンテンツを変えるための多くのショートカット又はリンクを含む前記ナビゲーションメニューを前記制御装置のディスプレー（６９０）上に表示しないためのいずれかのために、前記制御装置のディスプレー（６９０）を制御することと、
を含む方法。
【請求項６４】
前記制御装置のディスプレー（６９０）は、タッチ入力に反応するタッチスクリーンディスプレーであり、ユーザーの入力は前記タッチ入力である、請求項６３に記載の方法。
【請求項６５】
前記第１のナビゲーションモードは、前記タッチスクリーンディスプレー（６９０）が、前記機内娯楽システムの前記表示装置（６８０）によって表示される前記コンテンツを変えるための多くのショートカット又はリンクを含む前記ナビゲーションメニューを表示するタッチパッドモードである、請求項６４に記載の方法。
【請求項６６】
前記第２のナビゲーションモードは、前記タッチスクリーンディスプレー（６９０）が、前記機内娯楽システムの前記表示装置（６８０）によって表示される前記コンテンツを変えるための多くのショートカット又はリンクを含む前記ナビゲーションメニューを表示しないトラックパッドモードである、請求項６４又は６５に記載の方法。
【請求項６７】
前記機内娯楽システムの前記表示装置（６８０）によって表示される前記コンテンツを変えるための多くのショートカット又はリンクを含むナビゲーションメニューを前記制御装置のディスプレー（６９０）上に表示しないために前記制御装置のディスプレー（６９０）を制御するステップは、前記制御装置のディスプレー（６９０）がいずれかの情報を表示することができないようにすることを含む、請求項６３〜６６のいずれかに記載の方法。
【請求項６８】
前記機内娯楽システムの前記表示装置（６８０）によって表示される前記コンテンツを変えるための多くのショートカット又はリンクを含むナビゲーションメニューを前記制御装置のディスプレー（６９０）上に表示しないために前記制御装置のディスプレー（６９０）を制御するステップは、空白画像を表示するように前記制御装置のディスプレー（６９０）を制御することを含む、請求項６３〜６６のいずれかに記載の方法。
【請求項６９】
前記第２のナビゲーションモードの選択の受け取りに応答して、前記機内娯楽システムの前記表示装置（６８０）にインジケーターを表示することを含む、請求項６３〜６８のいずれかに記載の方法。
【請求項７０】
前記第２のナビゲーションモードの選択を受け取った後に、前記機内娯楽システムの前記表示装置（６８０）に表示される前記コンテンツを制御するために、前記タッチスクリーンディスプレーでタッチ入力を受け取ることを含む、請求項６４〜６９のいずれかに記載の方法。
【請求項７１】
前記タッチ入力はドラッグ動作であり、前記機内娯楽システムの前記表示装置（６８０）に表示されるインジケーターの位置は、前記タッチスクリーンディスプレーに与えられる前記ドラッグ動作によって、前記ドラッグ動作に従って変更される、請求項７０に記載の方法。
【請求項７２】
前記タッチ入力はタップ動作である、請求項７０に記載の方法。
【請求項７３】
前記タッチ入力はスワイプ動作である、請求項７０に記載の方法。
【請求項７４】
前記第２のナビゲーションモードの選択を受け取った後に、前記機内娯楽システムの前記表示装置（６８０）に表示される前記コンテンツを制御するためにユーザーの入力を受け取ることを更に含む、請求項６３〜７３のいずれかに記載の方法。
【請求項７５】
前記ユーザーの入力は、動作感知装置（６３０）によって検知される手の動きである、請求項７４に記載の方法。
【請求項７６】
前記動作感知装置（６３０）は赤外線センサーである、請求項７５に記載の方法。
【請求項７７】
前記機内娯楽システムの前記表示装置（６８０）は、前記コンテンツを表示するためのタッチスクリーンディスプレーを含む、請求項６３〜７６のいずれかに記載の方法。
【請求項７８】
様々なコンテンツを表示する機内娯楽システムの表示装置（６８０）を制御するための制御装置（６００）であって、該制御装置（６００）は、複数のナビゲーションモードで動作可能であるとともに、
制御装置のディスプレー（６９０）と、
演算処理装置（６００）と、
を含み、前記演算処理装置（６００）は、前記制御装置（６００）についての前記ナビゲーションモードの選択を受け取るように構成され、ここで前記ナビゲーションモードは、（ａ）前記制御装置のディスプレー（６９０）が、前記機内娯楽システムの前記表示装置（６８０）によって表示される前記コンテンツを変えるための多くのショートカット又はリンクを含むナビゲーションメニューを表示する第１のナビゲーションモード、又は（ｂ）前記制御装置のディスプレー（６９０）が、前記機内娯楽システムの前記表示装置（６８０）によって表示される前記コンテンツを変えるための多くのショートカット又はリンクを含むナビゲーションメニューを表示しない第２のナビゲーションモードであり、更に前記演算処理装置（６００）は、前記第１のナビゲーションモードの選択の受け取りに応答して、前記機内娯楽システムの前記表示装置（６８０）によって表示される前記コンテンツを変えるための多くのショートカット又はリンクを含む前記ナビゲーションメニューを前記制御装置のディスプレー（６９０）上に表示するため、又は前記第２のナビゲーションモードの選択の受け取りに応答して、前記機内娯楽システムの前記表示装置（６８０）によって表示される前記コンテンツを変えるための多くのショートカット又はリンクを含む前記ナビゲーションメニューを前記制御装置のディスプレー（６９０）上に表示しないためのいずれかのために、制御装置のディスプレー（６９０）を制御するように構成される、制御装置（６００）。
【請求項７９】
前記制御装置のディスプレー（６９０）は、タッチ入力に反応するタッチスクリーンディスプレーであり、ユーザーの入力は前記タッチ入力である、請求項７８に記載の制御装置（６００）。
【請求項８０】
前記第１のナビゲーションモードは、前記タッチスクリーンディスプレー（６９０）が、前記機内娯楽システムの前記表示装置（６８０）によって表示される前記コンテンツを変えるための多くのショートカット又はリンクを含む前記ナビゲーションメニューを表示するタッチパッドモードである、請求項７９に記載の制御装置（６００）。
【請求項８１】
前記第２のナビゲーションモードは、前記タッチスクリーンディスプレー（６９０）が、前記機内娯楽システムの前記表示装置（６８０）によって表示される前記コンテンツを変えるための多くのショートカット又はリンクを含む前記ナビゲーションメニューを表示しないトラックパッドモードである、請求項７９又は８０に記載の制御装置（６００）。
【請求項８２】
前記演算処理装置（６６０）は、前記制御装置のディスプレー（６９０）がいずれかの情報を表示することができないようにすることによって、前記機内娯楽システムの前記表示装置（６８０）によって表示される前記コンテンツを変えるための多くのショートカット又はリンクを含む前記ナビゲーションメニューを前記制御装置のディスプレー（６９０）上に表示しないように前記制御装置のディスプレー（６９０）を制御する、請求項７８〜８１のいずれかに記載の制御装置（６００）。
【請求項８３】
前記演算処理装置（６６０）は、空白画像を表示するように前記制御装置のディスプレー（６９０）を制御することによって、前記機内娯楽システムの前記表示装置（６８０）によって表示される前記コンテンツを変えるための多くのショートカット又はリンクを含むナビゲーションメニューを前記制御装置のディスプレー（６９０）上に表示しないように前記制御装置のディスプレー（６９０）を制御する、請求項７８〜８１のいずれかに記載の制御装置（６００）。
【請求項８４】
前記演算処理装置（６６０）が前記第２のナビゲーションモードの選択を受け取ることによって、インジケーターが前記機内娯楽システムの前記表示装置（６８０）に表示される、請求項７８〜８３のいずれかに記載の制御装置（６００）。
【請求項８５】
前記演算処理装置（６６０）は、前記第２のナビゲーションモードの選択を受け取った後に、前記機内娯楽システムの前記表示装置（６８０）に表示される前記コンテンツを制御するために、前記タッチスクリーンディスプレーからタッチ入力を受け取るように構成される、請求項７９〜８４のいずれかに記載の制御装置（６００）。
【請求項８６】
前記タッチ入力はドラッグ動作であり、前記機内娯楽システムの前記表示装置（６８０）に表示されるインジケーターの位置は、前記タッチスクリーンディスプレーに与えられる前記ドラッグ動作によって、前記ドラッグ動作に従って変更される、請求項８５に記載の制御装置（６００）。
【請求項８７】
前記タッチ入力はタップ動作である、請求項８５に記載の制御装置（６００）。
【請求項８８】
前記タッチ入力はスワイプ動作である、請求項８５に記載の制御装置（６００）。
【請求項８９】
前記演算処理装置（６６０）は、前記第２のナビゲーションモードの選択を受け取った後に、前記機内娯楽システムの前記表示装置（６８０）に表示される前記コンテンツを制御するためにユーザーの入力を受け取るように構成される、請求項７８〜８８のいずれかに記載の制御装置（６００）。
【請求項９０】
前記ユーザーの入力は、動作感知装置（６３０）によって検知される手の動きである、請求項８９に記載の制御装置（６００）。
【請求項９１】
前記動作感知装置（６３０）は赤外線センサーである、請求項９０に記載の制御装置（６００）。
【請求項９２】
前記機内娯楽システムの前記表示装置（６８０）は、前記コンテンツを表示するためのタッチスクリーンディスプレーを含む、請求項７８〜９１のいずれかに記載の制御装置（６００）。
【請求項９３】
複数のシステムユニットを含む機内娯楽システム（８０）であって、前記システムユニットのそれぞれ１つは、
コンテンツ（８１０、８２０、８３０）を表示するためのタッチスクリーンディスプレー（８０、３８０、６８０）と、
請求項１６〜３０、４７〜６２、７８〜９２のいずれかに記載の制御装置（３０、３００、６００）と、
を含む、機内娯楽システム（８０）。
【請求項９４】
請求項９３に記載の機内娯楽システム（８０）を含む航空機。
【手続補正書】
【提出日】平成27年4月10日(2015.4.10)
【手続補正１】
【補正対象書類名】明細書
【補正対象項目名】０１３１
【補正方法】変更
【補正の内容】
【０１３１】
図４は、本発明の方法の実施形態のフローチャートである。ステップ２２０で、端末コントローラー３００のタッチスクリーンディスプレー３９０は、タッチスクリーンディスプレー３９０の外周上又はその近くでのスワイプ又はドラッグ動作に対応してタッチ入力を受け取る。タッチスクリーンディスプレー３９０がタッチ入力を受け取ることによって、端末コントローラー３００の演算処理装置３６０によって実装されたナビゲーションモード受信機３６２は、端末コントローラー３００についてのナビゲーションモードの選択を受け取る。ステップ２４０で、端末コントローラー３００の演算処理装置３６０によって実装された通信インターフェースコントローラー３６３は、端末コントローラー３００の通信インターフェース３２０を介してＩＦＥディスプレー３８０にコンテンツデータについてのリクエストを送信した後に、通信インターフェース３２０を介してＩＦＥディスプレー３８０からコンテンツデータを受け取る。ステップ２６０で、端末コントローラー３００の演算処理装置３６０によって実装されたコンテキスト情報生成器３６９は、ＩＦＥディスプレー３８０から受け取ったコンテンツデータ及び選択されたナビゲーションモードに基づいてコンテキスト情報を生成する。ステップ２８０で、端末コントローラー３００の演算処理装置３６０によって実装されたタッチスクリーンコントローラー３６８は、コンテキスト情報生成器３６９によって生成されたコンテキスト情報を表示するために、タッチスクリーンディスプレー３９０を制御する。
【手続補正２】
【補正対象書類名】明細書
【補正対象項目名】０１３９
【補正方法】変更
【補正の内容】
【０１３９】
図９Ｂは、図９Ａの端末コントローラー６００の演算処理装置６６０の機能ブロック図である。演算処理装置６６０は、プログラムコード及び演算処理装置６６０のメモリ６６６に保存されたデータに基づいて多くのモジュールを実装するように構成される。そのモジュールは、ナビゲーションモード受信機６６２、タッチスクリーンコントローラー６６８、コンテキスト情報生成器６６９、及び通信インターフェースコントローラー６６３を含む。
【手続補正３】
【補正対象書類名】明細書
【補正対象項目名】０１４２
【補正方法】変更
【補正の内容】
【０１４２】
タッチスクリーンコントローラー６６８は、端末コントローラー６００のタッチスクリーンディスプレー６９０を制御するように構成され、端末コントローラー６００がタッチパッドモードで作動している時にコンテキスト情報生成器６６９によって生成されたコンテキスト情報を表示し、さらに端末コントローラー６００がトラックパッドモードで作動している時にタッチスクリーンディスプレー６９０が情報を表示しないようにタッチスクリーンディスプレー６９０を制御する。
【手続補正４】
【補正対象書類名】明細書
【補正対象項目名】０１４７
【補正方法】変更
【補正の内容】
【０１４７】
ステップ５８０で、端末６００は、端末６００のユーザーによってタッチスクリーン６９０に与えられる更に別のタッチ入力を受け取る。ステップ５９０で、演算処理装置６６０によって実装された通信インターフェースコントローラー６６３は、ＩＦＥディスプレー６８０にタッチ入力に関するデータを送るために通信インターフェース６２０を制御し、ＩＦＥディスプレー６８０は、端末６００から送られたデータに基づいて新たなコンテンツを表示する。
【手続補正５】
【補正対象書類名】明細書
【補正対象項目名】０１４８
【補正方法】変更
【補正の内容】
【０１４８】
図５Ｂは、制御装置３０が「シーケンシャル」モードで作動している時に、制御装置３０のタッチスクリーンディスプレー９０によって表示されるコンテキスト情報の例を説明する概略図である。この例では、端末３０は、端末３０が水平方向である時に「シーケンシャル」モードで作動する。図に示すように、ＩＦＥディスプレー８０はコンテンツ８２０を表示し、端末３０は、コンテンツ８２０に関するコンテキスト情報９２０を、端末３０のタッチスクリーン９０に表示している。コンテンツ８２０は、一連の相互に関連したコンテンツ８１０、８２０、８３０の１つである。ユーザーが端末３０のタッチスクリーン９０上で右から左へページング又はスワイプ動作を行うと、ＩＦＥディスプレー８０は、コンテンツ８２０からコンテンツ８３０に変わる。ユーザーが端末３０のタッチスクリーン９０上で左から右へページング又はスワイプ動作を行うと、ＩＦＥディスプレー８０は、コンテンツ８２０からコンテンツ８１０に変わる。タッチスクリーンディスプレー９０に表示されるコンテキスト情報９２０は、ＩＦＥディスプレー８０に表示されるコンテンツの変更に従って変わる。この場合、タッチスクリーンディスプレー９０に表示されるコンテキスト情報９２０は、拡張可能なメニューアイコン９５０を含む。
【手続補正６】
【補正対象書類名】明細書
【補正対象項目名】０１４９
【補正方法】変更
【補正の内容】
【０１４９】
図５Ａは、制御装置３０が「クイック」モードで作動している時に、制御装置３０のタッチスクリーンディスプレー９０によって表示されるコンテキスト情報の例を説明する概略図である。この例では、端末３０は、端末３０が垂直方向である時に「クイック」モードで作動する。図に示すように、タッチスクリーン９０に表示されるコンテキスト情報は、複数のリンク（「Ａ」、「Ｂ」、「Ｃ」、「Ｄ」、「Ｅ」及び「Ｆ」）を含むナビゲーションメニュー（「グローバルメニュー」）である。
【手続補正７】
【補正対象書類名】明細書
【補正対象項目名】０１５９
【補正方法】変更
【補正の内容】
【０１５９】
図７Ａ〜７Ｃは、制御装置３０がユーザーによって使用されていて、制御装置３０が「シーケンシャル」モードで作動している時における、別の一連のコンテキスト情報９２０及びコンテンツ８２０を説明する画面の実物大表示である。
【手続補正８】
【補正対象書類名】明細書
【補正対象項目名】０１６３
【補正方法】変更
【補正の内容】
【０１６３】
図８Ａ〜８Ｅは、制御装置３０がユーザーによって使用されていて、制御装置３０が「クイック」モードで作動している時における、一連のコンテキスト情報９２０及びコンテンツ８２０を説明する画面の実物大表示である。
【国際調査報告】
2015525927.tif 000030
2015525927.tif 000031
2015525927.tif 000032
2015525927.tif 000033
2015525927.tif 000034